(57)【要約】  画面に表示される表示データを操作する第一操作装置（１１０）及び第二操作装置（１２０）と通信ネットワークを介して接続され、第一操作装置（１１０）の要求に従い画面に表示データを表示させる表示装置（１００）であって、第一操作装置（１１０）によって送信された表示データを受信し、画面に表示させる表示部（１０１）と、表示部（１０１）が表示させる表示データを操作するための情報である操作情報を識別する識別子を第一操作装置（１１０）から取得し、第二操作装置（１２０）から操作情報の取得を要求された場合に、識別子で示される操作情報を第二操作装置（１２０）に取得させる代理取得部（１０２）とを備える。
2012157185.tif 000002
【特許請求の範囲】
【請求項１】
画面に表示される表示データを操作する第一操作装置及び第二操作装置と通信ネットワークを介して接続され、前記第一操作装置の要求に従い画面に前記表示データを表示させる表示装置であって、
前記第一操作装置によって送信された前記表示データを受信し、前記画面に表示させる表示部と、
前記表示部が表示させる前記表示データを操作するための情報である操作情報を識別する識別子を前記第一操作装置から取得し、前記第二操作装置から前記操作情報の取得を要求された場合に、前記識別子で示される操作情報を前記第二操作装置に取得させる代理取得部と
を備える表示装置。
【請求項２】
前記代理取得部は、
前記識別子として、前記第一操作装置に保持されている前記操作情報の保存場所に関する情報である保存場所情報を取得し、
前記第二操作装置から前記操作情報の取得を要求された場合に、前記保存場所情報で示される前記操作情報の保存場所から前記操作情報を取得し、
取得した前記操作情報を前記第二操作装置に送信することで、前記操作情報を前記第二操作装置に取得させる
請求項１に記載の表示装置。
【請求項３】
前記代理取得部は、
前記識別子として、前記第一操作装置に保持されている前記操作情報の保存場所に関する情報である保存場所情報を取得し、
前記第二操作装置から前記操作情報の取得を要求された場合に、前記保存場所情報を前記第二操作装置に送信することで、前記第二操作装置に前記操作情報を取得させる
請求項１に記載の表示装置。
【請求項４】
前記代理取得部は、前記第一操作装置から前記表示データの表示の終了要求を受信した場合、前記第二操作装置に対し前記第二操作装置が取得した前記操作情報を消去させる
請求項１〜３のいずれか１項に記載の表示装置。
【請求項５】
画面に表示データを表示させる表示装置と通信ネットワークを介して接続され、前記表示装置によって表示された表示データを操作する操作装置であって、
前記表示データを操作するための情報である操作情報を識別する識別子を保持しているデータ保持部と、
前記表示データを前記表示装置に取得させるとともに、前記データ保持部に保持されている前記識別子を前記表示装置に送信するデータ送信部と、
前記表示データを操作する他の操作装置からの前記表示装置への操作情報の取得要求に基づいて、前記表示装置が受信した前記識別子を取得するデータ取得部とを備え、
前記データ送信部は、前記データ取得部が当該識別子を取得した場合に、当該識別子で示される操作情報を送信し、前記他の操作装置に前記操作情報を取得させる
操作装置。
【請求項６】
前記データ保持部は、前記識別子として前記操作情報の保存場所に関する情報である保存場所情報を、前記表示データと前記操作情報とに対応付けて保持しており、
前記データ送信部は、前記データ保持部に保持されている前記表示データと前記保存場所情報とを前記表示装置に送信し、
前記データ取得部は、前記取得要求に基づいて、前記表示装置が受信した前記保存場所情報を前記表示装置から取得し、
前記データ送信部は、前記データ取得部が前記表示装置から前記保存場所情報を取得した場合に、前記データ保持部に保持されている前記保存場所情報に対応付けられた操作情報を前記表示装置に送信することで、前記表示装置を介して前記操作情報を前記他の操作装置に取得させる
請求項５に記載の操作装置。
【請求項７】
前記データ保持部は、前記識別子として前記操作情報の保存場所に関する情報である保存場所情報を、前記表示データと前記操作情報とに対応付けて保持しており、
前記データ送信部は、前記データ保持部に保持されている前記表示データと前記保存場所情報とを前記表示装置に送信し、
前記データ取得部は、前記取得要求に基づいて、前記表示装置が受信して前記他の操作装置に送信した前記保存場所情報を前記他の操作装置から取得し、
前記データ送信部は、前記データ取得部が前記他の操作装置から前記保存場所情報を取得した場合に、前記データ保持部に保持されている前記保存場所情報に対応付けられた操作情報を前記他の操作装置に送信することで、前記操作情報を前記他の操作装置に取得させる
請求項５に記載の操作装置。
【請求項８】
前記データ取得部は、さらに、前記表示装置によって表示された前記表示データの表示の終了要求を取得し、
前記データ送信部は、前記データ取得部が前記終了要求を取得した場合、前記表示装置に前記表示データの表示の終了要求を送信するとともに、前記他の操作装置が取得した前記操作情報を前記他の操作装置に消去させる
請求項５〜７のいずれか１項に記載の操作装置。
【請求項９】
前記データ送信部は、前記データ取得部が前記終了要求を取得した場合、さらに、前記表示装置が保持している前記識別子を前記表示装置に消去させる
請求項８に記載の操作装置。
【請求項１０】
前記データ保持部は、前記識別子として、所定の操作が許可されない操作情報を識別する識別子を保持しており、
前記データ送信部は、前記識別子で示される前記所定の操作が許可されない操作情報を、前記他の操作装置に取得させる
請求項５〜９のいずれか１項に記載の操作装置。
【請求項１１】
他の操作装置と、前記他の操作装置が表示データを表示させた第一表示装置及び第二表示装置と通信ネットワークを介して接続され、第一表示装置及び第二表示装置によって表示された表示データを操作する操作装置であって、
前記第一表示装置または前記第二表示装置への前記表示データを操作するための情報である操作情報の取得要求に基づいて前記操作情報を取得するとともに、前記他の操作装置から、前記第一表示装置または前記第二表示装置を介して、前記第一表示装置を示す第一表示装置情報と前記第二表示装置を示す第二表示装置情報とを取得するデータ取得部と、
取得された前記操作情報を保持するためのデータ保持部と、
取得された前記第一表示装置情報及び前記第二表示装置情報を保持するための連携機器情報保持部と、
前記データ保持部に保持されている前記操作情報を用いて、前記連携機器情報保持部に保持されている前記第一表示装置情報及び前記第二表示装置情報で示される第一表示装置及び第二表示装置が表示させている表示データを変更するためのデータを、前記第一表示装置及び前記第二表示装置に送信するデータ送信部とを備える
操作装置。
【請求項１２】
通信ネットワークを介して接続される、画面に表示される表示データを操作する第一操作装置及び第二操作装置と、前記第一操作装置の要求に従い画面に前記表示データを表示させる表示装置とを備える機器連携制御システムであって、
前記第一操作装置は、
前記表示データを操作するための情報である操作情報を識別する識別子を保持しているデータ保持部と、
前記表示データを前記表示装置に取得させるとともに、前記データ保持部に保持されている前記識別子を前記表示装置に送信するデータ送信部と、
前記第二操作装置からの前記表示装置への操作情報の取得要求に基づいて、前記表示装置が受信した前記識別子を取得するデータ取得部とを備え、
前記データ送信部は、前記データ取得部が当該識別子を取得した場合に、当該識別子で示される操作情報を送信し、前記第二操作装置に前記操作情報を取得させ、
前記表示装置は、
前記第一操作装置によって送信された前記表示データを受信し、前記画面に表示させる表示部と、
前記表示部が表示させる前記表示データを操作するための情報である操作情報を識別する前記識別子を前記第一操作装置から取得し、前記第二操作装置から前記操作情報の取得を要求された場合に、前記識別子で示される操作情報を前記第二操作装置に取得させる代理取得部とを備え、
前記第二操作装置は、
前記表示装置への前記操作情報の取得要求に基づいて前記操作情報を取得するデータ取得部と、
取得された前記操作情報を保持するためのデータ保持部と、
前記データ保持部に保持されている前記操作情報を用いて、前記表示装置が表示させている表示データを変更するためのデータを、前記表示装置に送信するデータ送信部とを備える
機器連携制御システム。
【請求項１３】
画面に表示される表示データを操作する第一操作装置及び第二操作装置と通信ネットワークを介して接続された表示装置が、前記第一操作装置の要求に従い画面に前記表示データを表示させる表示方法であって、
前記第一操作装置によって送信された前記表示データを受信し、前記画面に表示させる表示ステップと、
前記表示ステップで表示させる前記表示データを操作するための情報である操作情報を識別する識別子を前記第一操作装置から取得し、前記第二操作装置から前記操作情報の取得を要求された場合に、前記識別子で示される操作情報を前記第二操作装置に取得させる代理取得ステップと
を含む表示方法。
【請求項１４】
画面に表示データを表示させる表示装置と通信ネットワークを介して接続された操作装置が、前記表示装置によって表示された表示データを操作する操作方法であって、
前記表示データを前記表示装置に取得させるとともに、前記表示データを操作するための情報である操作情報を識別する識別子を保持しているデータ保持部に保持されている前記識別子を前記表示装置に送信する第一データ送信ステップと、
前記表示データを操作する他の操作装置からの前記表示装置への操作情報の取得要求に基づいて、前記表示装置が受信した前記識別子を取得するデータ取得ステップと、
前記データ取得部が当該識別子を取得した場合に、当該識別子で示される操作情報を送信し、前記他の操作装置に前記操作情報を取得させる第二データ送信ステップと
を含む操作方法。
【請求項１５】
通信ネットワークを介して接続される、画面に表示される表示データを操作する第一操作装置及び第二操作装置と、前記第一操作装置の要求に従い画面に前記表示データを表示させる表示装置とが行う機器連携制御方法であって、
前記第一操作装置が、前記表示データを前記表示装置へ送信させるとともに、データ保持部に保持されている前記表示データを操作するための情報である操作情報を識別する識別子を、前記表示装置に送信する第一ステップと、
前記表示装置が、前記第一操作装置によって送信された前記表示データを受信するとともに、前記第一操作装置が送信した前記識別子を受信する第二ステップと、
前記表示装置が、受信した前記表示データを前記画面に表示させる第三ステップと、
前記第二操作装置が、前記表示装置に前記操作情報の取得を要求する第四ステップと、
前記第一操作装置が、前記要求に基づいて、前記表示装置が受信した前記識別子を取得する第五ステップと、
前記第一操作装置が、取得した前記識別子で示される操作情報を送信する第六ステップと、
前記第二操作装置が、前記第一操作装置が送信した前記操作情報を取得する第七ステップと、
前記第二操作装置が、取得した前記操作情報をデータ保持部に保持する第八ステップと、
前記第二操作装置が、前記データ保持部に保持されている前記操作情報を用いて、前記表示装置が表示させている表示データを変更するためのデータを、前記表示装置に送信する第九ステップと
を含む機器連携制御方法。
【請求項１６】
画面に表示される表示データを操作する第一操作装置及び第二操作装置と通信ネットワークを介して接続された表示装置が、前記第一操作装置の要求に従い画面に前記表示データを表示させるためのプログラムであって、
前記第一操作装置によって送信された前記表示データを受信し、前記画面に表示させる表示ステップと、
前記表示ステップで表示させる前記表示データを操作するための情報である操作情報を識別する識別子を前記第一操作装置から取得し、前記第二操作装置から前記操作情報の取得を要求された場合に、前記識別子で示される操作情報を前記第二操作装置に取得させる代理取得ステップと
をコンピュータに実行させるプログラム。
【請求項１７】
画面に表示データを表示させる表示装置と通信ネットワークを介して接続された操作装置が、前記表示装置によって表示された表示データを操作するためのプログラムであって、
前記表示データを前記表示装置に取得させるとともに、前記表示データを操作するための情報である操作情報を識別する識別子を保持しているデータ保持部に保持されている前記識別子を前記表示装置に送信する第一データ送信ステップと、
前記表示データを操作する他の操作装置からの前記表示装置への操作情報の取得要求に基づいて、前記表示装置が受信した前記識別子を取得するデータ取得ステップと、
前記データ取得部が当該識別子を取得した場合に、当該識別子で示される操作情報を送信し、前記他の操作装置に前記操作情報を取得させる第二データ送信ステップと
をコンピュータに実行させるプログラム。
【請求項１８】
画面に表示される表示データを操作する第一操作装置及び第二操作装置と通信ネットワークを介して接続され、前記第一操作装置の要求に従い画面に前記表示データを表示させる集積回路であって、
前記第一操作装置によって送信された前記表示データを受信し、前記画面に表示させる表示部と、
前記表示部が表示させる前記表示データを操作するための情報である操作情報を識別する識別子を前記第一操作装置から取得し、前記第二操作装置から前記操作情報の取得を要求された場合に、前記識別子で示される操作情報を前記第二操作装置に取得させる代理取得部と
を備える集積回路。
【請求項１９】
画面に表示データを表示させる表示装置と通信ネットワークを介して接続され、前記表示装置によって表示された表示データを操作する集積回路であって、
前記表示データを前記表示装置に取得させるとともに、前記表示データを操作するための情報である操作情報を識別する識別子を保持しているデータ保持部に保持されている前記識別子を前記表示装置に送信するデータ送信部と、
前記表示データを操作する操作装置からの前記表示装置への操作情報の取得要求に基づいて、前記表示装置が受信した前記識別子を取得するデータ取得部とを備え、
前記データ送信部は、前記データ取得部が当該識別子を取得した場合に、当該識別子で示される操作情報を送信し、前記操作装置に前記操作情報を取得させる
集積回路。
【発明の詳細な説明】
【技術分野】
【０００１】
本発明は、複数の機器が連携して動作するための装置およびシステムに関するものであり、特にある機器である表示装置に表示した内容を、通信ネットワークを介して他の機器である操作装置から操作する機器連携制御システム、機器連携制御方法、表示装置、操作装置、表示方法及び操作方法に関するものである。
【背景技術】
【０００２】
従来の機器連携制御システムとしては、通信ネットワーク上に接続された機器の中から操作対象となる機器を選択し、選択した各機器に対して操作要求を通知することで機器連携を行うものが提案されている（例えば、特許文献１参照）。
【先行技術文献】
【特許文献】
【０００３】
【特許文献１】特許第４５９６５７２号公報
【発明の概要】
【発明が解決しようとする課題】
【０００４】
しかしながら、上記従来の構成では、操作装置から、表示データや操作用ＵＩ（Ｕｓｅｒ  Ｉｎｔｅｒｆａｃｅ）の取得先となる被操作装置と、表示データを表示する表示装置とを選択する必要がある。このため、ある操作装置Ａを操作して表示装置に表示データを表示した後に、異なる操作装置Ｂから表示装置に表示された表示データを操作する場合においても、再度連携対象となる２つの装置を選択しなければならないという課題を有していた。【０００５】
本発明は、上記従来の課題を解決するものであり、表示データや操作用ＵＩなどの操作情報を保持している装置を把握していなくとも、表示装置によって表示された表示データを操作することができる表示装置、操作装置、機器連携制御システム、表示方法、操作方法及び機器連携制御方法を提供することを目的とする。
【課題を解決するための手段】
【０００６】
上記従来の課題を解決するために、本発明の一態様にかかる表示装置は、画面に表示される表示データを操作する第一操作装置及び第二操作装置と通信ネットワークを介して接続され、前記第一操作装置の要求に従い画面に前記表示データを表示させる表示装置であって、前記第一操作装置によって送信された前記表示データを受信し、前記画面に表示させる表示部と、前記表示部が表示させる前記表示データを操作するための情報である操作情報を識別する識別子を前記第一操作装置から取得し、前記第二操作装置から前記操作情報の取得を要求された場合に、前記識別子で示される操作情報を前記第二操作装置に取得させる代理取得部とを備える。【０００７】
なお、これらの全般的または具体的な態様は、システム、方法、集積回路、コンピュータプログラムまたは記録媒体で実現されてもよく、装置、システム、方法、集積回路、コンピュータプログラムおよび記録媒体の任意な組み合わせで実現されてもよい。
【発明の効果】
【０００８】
本発明にかかる表示装置によれば、表示された表示データを操作するための操作情報を操作装置に取得させることができ、ユーザが、表示データや操作用ＵＩなどの操作情報を保持している装置を把握していなくとも、当該表示データを操作することができる。
【図面の簡単な説明】
【０００９】
【図１】図１は、本発明の実施の形態１における機器連携制御システムの構成を示す図である。
【図２】図２は、本発明の実施の形態１における表示装置の構成を示す図である。
【図３Ａ】図３Ａは、本発明の実施の形態１における第一操作装置の構成を示す図である。
【図３Ｂ】図３Ｂは、本発明の実施の形態１における第二操作装置の構成を示す図である。
【図４】図４は、本発明の実施の形態１におけるデータ保持部が保持するデータの内容を示す図である。
【図５】図５は、本発明の実施の形態１における第一操作装置が表示装置に表示データを表示させる処理を示すフローチャートである。
【図６】図６は、本発明の実施の形態１における第二操作装置が操作用ＵＩを表示する処理を示すフローチャートである。
【図７】図７は、本発明の実施の形態１における第一操作装置が表示データの表示を終了する処理を示すフローチャートである。
【図８】図８は、本発明の実施の形態１における表示装置と第一操作装置と第二操作装置とが行う処理を示すシーケンス図である。
【図９】図９は、本発明の実施の形態１における表示装置と第一操作装置と第二操作装置とが行う処理を説明する図である。
【図１０Ａ】図１０Ａは、本発明の実施の形態１における第一操作装置の最小構成を示す図である。
【図１０Ｂ】図１０Ｂは、本発明の実施の形態１における第二操作装置の最小構成を示す図である。
【図１１】図１１は、本発明の実施の形態１の変形例における表示装置と第一操作装置と第二操作装置とが行う処理を示すシーケンス図である。
【図１２】図１２は、本発明の実施の形態２における機器連携制御システムの構成を示す図である。
【図１３Ａ】図１３Ａは、本発明の実施の形態２における第一表示装置の構成を示す図である。
【図１３Ｂ】図１３Ｂは、本発明の実施の形態２における第二表示装置の構成を示す図である。
【図１４Ａ】図１４Ａは、本発明の実施の形態２における第一操作装置の構成を示す図である。
【図１４Ｂ】図１４Ｂは、本発明の実施の形態２における第二操作装置の構成を示す図である。
【図１５】図１５は、本発明の実施の形態１における第一表示装置と第二表示装置と第一操作装置と第二操作装置とが行う処理を示すシーケンス図である。
【図１６】図１６は、本発明の実施の形態１における第一表示装置と第二表示装置と第一操作装置と第二操作装置とが行う処理を説明する図である。
【図１７】図１７は、従来の機器連携制御システムの構成を説明するための図である。
【図１８】図１８は、従来の表示装置の構成を説明するための図である。
【図１９】図１９は、従来の被操作装置の構成を説明するための図である。
【図２０】図２０は、従来の操作装置の構成を説明するための図である。
【発明を実施するための形態】
【００１０】
（本発明の基礎となった知見）
本発明者は、「背景技術」の欄において記載した機器連携制御システムに関し、以下の問題が生じることを見出した。
【００１１】
図１７は、上記特許文献１に記載された従来の機器連携制御システムを説明するための図である。つまり、同図は、当該従来の機器連携制御システムに関連する技術の一例としての機器連携制御システムの構成を示す。
【００１２】
同図において、表示装置１０００は、ＴＶやディスプレイといった画面に表示を行う機器であり、被操作装置１１００及び操作装置１２００とＬＡＮ等の通信ネットワークにより接続されている。被操作装置１１００は、デジタルビデオレコーダやデジタルカメラ、スマートフォンやタブレット、音楽プレーヤなどのように動画、写真などの表示データを保持するものであり、操作装置１２００からの要求に従って、当該表示データを表示装置１０００に表示させる。操作装置１２００は、スマートフォンやタブレット等のユーザが直接操作する機器である。
【００１３】
図１８は、従来の表示装置の構成を説明するための図である。つまり、同図は、当該従来の表示装置に関連する技術の一例としての表示装置１０００の構成を示す。
【００１４】
同図において、表示装置１０００は、表示部１００１を備えている。表示部１００１は、操作装置１２００の要求に従って被操作装置１１００のデータ送信部１１０２から送付された表示データをＬＣＤ（Ｌｉｑｕｉｄ  Ｃｒｙｓｔａｌ  Ｄｉｓｐｌａｙ）等の表示デバイス上に表示させる。
【００１５】
図１９は、従来の被操作装置の構成を説明するための図である。つまり、同図は、当該従来の被操作装置に関連する技術の一例としての被操作装置１１００の構成を示す。
【００１６】
同図において、被操作装置１１００は、データ保持部１１０１とデータ送信部１１０２とを備えている。データ保持部１１０１は、ＨＤＤやＦｌａｓｈメモリなどの記憶デバイスを備え、表示データ及び表示データを操作するための操作用ＵＩを保持する。データ送信部１１０２は、操作装置１２００からの要求を受け付け、データ保持部１１０１が保持している表示データを表示装置１０００の表示部１００１に送付し、表示データを表示装置１０００に表示させる。
【００１７】
図２０は、従来の操作装置の構成を説明するための図である。つまり、同図は、当該従来の操作装置に関連する技術の一例としての操作装置１２００の構成を示す。
【００１８】
同図において、操作装置１２００は、表示部１２０１と操作入力部１２０２とデータ取得部１２０３とを備えている。表示部１２０１は、表示部１００１と同様、ＬＣＤなどの表示デバイス上に表示データを表示させる。また、表示部１２０１は、データ保持部１１０１が保持する操作用ＵＩを表示させ、操作入力部１２０２から通知されるユーザ操作に従って、表示部１１１による表示内容を変更する。操作入力部１２０２は、タッチパネルやキーなどのユーザ操作を入力するための処理部であり、ユーザ操作結果を表示部１２０１へ通知する。データ取得部１２０３は、表示部１２０１からの要求に従いデータ保持部１１０１が保持する操作用ＵＩを取得し、表示部１２０１に渡す。
【００１９】
上記構成において、ユーザは、被操作装置１１００のデータ保持部１１０１に保持されている表示データを、表示装置１０００の表示部１００１に表示させ、操作装置１２００に表示された操作用ＵＩから当該表示データを操作する。この場合、まず、操作装置１２００において、通信ネットワークに接続されている機器の一覧を表示部１２０１に表示させ、その一覧の中から、表示データを保持している被操作装置１１００が操作入力部１２０２を介して選択される。そして、表示部１２０１は、データ取得部１２０３を介して、データ保持部１１０１から表示データを操作するための操作用ＵＩを取得し、取得した操作用ＵＩを表示させる。
【００２０】
次にユーザは、被操作装置１１００から取得した操作用ＵＩを用いて、データ保持部１１０１が保持する表示データのうち、表示装置１０００に表示したい表示データを選択する。そして、ユーザは、操作装置１２００において、表示部１２０１によって表示された通信ネットワークに接続されている機器の一覧から、表示データを表示したい表示装置１０００を、操作入力部１２０２を介して選択する。そして、表示部１２０１は、データ送信部１１０２に対して、選択された表示データを表示装置１０００に送付するよう要求を通知し、データ送信部１１０２は、要求に従い選択された表示データを表示装置１０００の表示部１００１に送信する。最後に、ユーザは、被操作装置１１００から取得した操作用ＵＩを用いて、表示装置１０００の表示部１００１によって表示された表示データを操作する。
【００２１】
しかしながら、上記の構成では、操作装置から、表示データや操作用ＵＩの取得先となる被操作装置と、表示データを表示する表示装置とを選択する必要がある。このため、ある操作装置Ａを操作して表示装置に表示データを表示した後に、異なる操作装置Ｂから表示装置に表示された表示データを操作する場合においても、再度連携対象となる２つの装置を選択しなければならないという課題を有していた。
【００２２】
特に、操作装置Ａを操作しているユーザＡとは異なるユーザＢが、表示装置の表示データを見た際に、操作装置Ｂから表示装置に表示された表示データを操作しようとした場合、ユーザＢは、表示装置と、そこに表示された表示データの内容しか情報を得ることができない。このため、そこに表示されている表示データや操作用ＵＩの取得先となる被操作装置が通信ネットワークに接続されているどの装置か判断できず、操作不能な状態に陥るという課題を有していた。
【００２３】
本発明は、上記課題を解決するものであり、表示データや操作用ＵＩなどの操作情報を保持している装置を把握していなくとも、表示装置によって表示された表示データを操作することができる表示装置、操作装置、機器連携制御システム、表示方法、操作方法及び機器連携制御方法を提供することを目的とする。
【００２４】
上記目的を達成するために、本発明の一態様にかかる表示装置は、画面に表示される表示データを操作する第一操作装置及び第二操作装置と通信ネットワークを介して接続され、前記第一操作装置の要求に従い画面に前記表示データを表示させる表示装置であって、前記第一操作装置によって送信された前記表示データを受信し、前記画面に表示させる表示部と、前記表示部が表示させる前記表示データを操作するための情報である操作情報を識別する識別子を前記第一操作装置から取得し、前記第二操作装置から前記操作情報の取得を要求された場合に、前記識別子で示される操作情報を前記第二操作装置に取得させる代理取得部とを備える。
【００２５】
これによれば、代理取得部が、操作情報を識別する識別子を第一操作装置から取得しておき、第二操作装置から操作情報の取得を要求された場合に、識別子で示される操作情報を第二操作装置に取得させる。このため、ユーザは、第二操作装置を用いて、操作したい表示データが表示されている表示装置を選択するだけで、それに対応した操作用ＵＩなどの操作情報を第二操作装置に取得させ、その操作用ＵＩを用いて、表示データを操作することができる。つまり、ユーザは、表示装置に表示されている表示データや、それを操作するための操作用ＵＩが保存されている場所を意識することなく、表示装置を選択するという簡便な操作だけで所望の表示データを操作することができる。このように、ユーザが操作を行う操作装置に操作情報を取得させることができるため、ユーザが、表示データや操作情報を保持している装置を把握していなくとも、当該表示データを操作することができる。
【００２６】
また、表示装置の代理取得部を介して、表示装置によって表示されている表示データに対応する操作用ＵＩを取得するため、ユーザの意図に反し、表示装置を通して他のユーザに共有して見せている表示データ以外の操作用ＵＩを取得されることを防止できる。
【００２７】
また、例えば、前記代理取得部は、前記識別子として、前記第一操作装置に保持されている前記操作情報の保存場所に関する情報である保存場所情報を取得し、前記第二操作装置から前記操作情報の取得を要求された場合に、前記保存場所情報で示される前記操作情報の保存場所から前記操作情報を取得し、取得した前記操作情報を前記第二操作装置に送信することで、前記操作情報を前記第二操作装置に取得させてもよい。
【００２８】
これによれば、代理取得部は、第一操作装置に保持されている操作情報の保存場所に関する保存場所情報を、操作情報を識別する識別子として取得し、当該保存場所情報で示される操作情報の保存場所から操作情報を取得して、当該操作情報を第二操作装置に送信する。つまり、代理取得部は、操作情報を第二操作装置に直接送信することで、操作情報を第二操作装置に取得させることができる。このため、ユーザが操作を行う操作装置に操作情報を取得させることができるため、ユーザが、表示データや操作情報を保持している装置を把握していなくとも、当該表示データを操作することができる。
【００２９】
また、例えば、前記代理取得部は、前記識別子として、前記第一操作装置に保持されている前記操作情報の保存場所に関する情報である保存場所情報を取得し、前記第二操作装置から前記操作情報の取得を要求された場合に、前記保存場所情報を前記第二操作装置に送信することで、前記第二操作装置に前記操作情報を取得させてもよい。
【００３０】
これによれば、代理取得部は、第一操作装置に保持されている操作情報の保存場所に関する保存場所情報を、操作情報を識別する識別子として取得し、当該保存場所情報を第二操作装置に送信する。つまり、代理取得部は、保存場所情報を第二操作装置に送信することで、当該保存場所情報に基づいて第二操作装置に操作情報を取得させることができる。このため、ユーザが操作を行う操作装置に操作情報を取得させることができるため、ユーザが、表示データや操作情報を保持している装置を把握していなくとも、当該表示データを操作することができる。
【００３１】
また、例えば、前記代理取得部は、前記第一操作装置から前記表示データの表示の終了要求を受信した場合、前記第二操作装置に対し前記第二操作装置が取得した前記操作情報を消去させてもよい。
【００３２】
これによれば、代理取得部は、第一操作装置から表示データの表示の終了要求を受信した場合に、第二操作装置に、保持している操作情報を消去させる。つまり、表示データの表示終了後に操作情報を消去させることで、他のユーザに操作用ＵＩを操作されるなど、ユーザの意図に反したタイミングで、操作用ＵＩを介した操作が行われることを防止することができる。
【００３３】
また、上記目的を達成するために、本発明の一態様にかかる操作装置は、画面に表示データを表示させる表示装置と通信ネットワークを介して接続され、前記表示装置によって表示された表示データを操作する操作装置であって、前記表示データを操作するための情報である操作情報を識別する識別子を保持しているデータ保持部と、前記表示データを前記表示装置に取得させるとともに、前記データ保持部に保持されている前記識別子を前記表示装置に送信するデータ送信部と、前記表示データを操作する他の操作装置からの前記表示装置への操作情報の取得要求に基づいて、前記表示装置が受信した前記識別子を取得するデータ取得部とを備え、前記データ送信部は、前記データ取得部が当該識別子を取得した場合に、当該識別子で示される操作情報を送信し、前記他の操作装置に前記操作情報を取得させる。
【００３４】
これによれば、データ送信部は、データ保持部に保持されている操作情報を識別する識別子を表示装置に送信し、その後、当該識別子を取得した場合に、当該識別子で示される操作情報を送信して、他の操作装置に操作情報を取得させる。このため、ユーザは、他の操作装置を用いて、操作したい表示データが表示されている表示装置を選択するだけで、それに対応した操作用ＵＩなどの操作情報を他の操作装置に取得させ、その操作用ＵＩを用いて、表示データを操作することができる。つまり、ユーザは、表示装置に表示されている表示データや、それを操作するための操作用ＵＩが保存されている場所を意識することなく、表示装置を選択するという簡便な操作だけで所望の表示データを操作することができる。このように、ユーザが操作を行う操作装置に操作情報を取得させることができるため、ユーザが、表示データや操作情報を保持している装置を把握していなくとも、当該表示データを操作することができる。
【００３５】
また、例えば、前記データ保持部は、前記識別子として前記操作情報の保存場所に関する情報である保存場所情報を、前記表示データと前記操作情報とに対応付けて保持しており、前記データ送信部は、前記データ保持部に保持されている前記表示データと前記保存場所情報とを前記表示装置に送信し、前記データ取得部は、前記取得要求に基づいて、前記表示装置が受信した前記保存場所情報を前記表示装置から取得し、前記データ送信部は、前記データ取得部が前記表示装置から前記保存場所情報を取得した場合に、前記データ保持部に保持されている前記保存場所情報に対応付けられた操作情報を前記表示装置に送信することで、前記表示装置を介して前記操作情報を前記他の操作装置に取得させてもよい。
【００３６】
これによれば、データ送信部は、データ保持部に保持されている操作情報の保存場所に関する保存場所情報を、操作情報を識別する識別子として表示装置に送信した後、データ取得部が当該保存場所情報を表示装置から取得した場合、当該保存場所情報に対応付けられた操作情報を表示装置に送信する。つまり、データ送信部が操作情報を表示装置に送信して、表示装置が当該操作情報を他の操作装置に送信することで、操作情報を第二操作装置に取得させることができる。このため、ユーザが操作を行う操作装置に操作情報を取得させることができるため、ユーザが、表示データや操作情報を保持している装置を把握していなくとも、当該表示データを操作することができる。
【００３７】
また、例えば、前記データ保持部は、前記識別子として前記操作情報の保存場所に関する情報である保存場所情報を、前記表示データと前記操作情報とに対応付けて保持しており、前記データ送信部は、前記データ保持部に保持されている前記表示データと前記保存場所情報とを前記表示装置に送信し、前記データ取得部は、前記取得要求に基づいて、前記表示装置が受信して前記他の操作装置に送信した前記保存場所情報を前記他の操作装置から取得し、前記データ送信部は、前記データ取得部が前記他の操作装置から前記保存場所情報を取得した場合に、前記データ保持部に保持されている前記保存場所情報に対応付けられた操作情報を前記他の操作装置に送信することで、前記操作情報を前記他の操作装置に取得させてもよい。
【００３８】
これによれば、データ送信部は、データ保持部に保持されている操作情報の保存場所に関する保存場所情報を、操作情報を識別する識別子として表示装置に送信した後、データ取得部が当該保存場所情報を他の操作装置から取得した場合、当該保存場所情報に対応付けられた操作情報を他の操作装置に送信する。つまり、データ送信部が操作情報を他の操作装置に直接送信することで、他の操作装置に操作情報を取得させることができる。このため、ユーザが操作を行う操作装置に操作情報を取得させることができるため、ユーザが、表示データや操作情報を保持している装置を把握していなくとも、当該表示データを操作することができる。
【００３９】
また、例えば、前記データ取得部は、さらに、前記表示装置によって表示された前記表示データの表示の終了要求を取得し、前記データ送信部は、前記データ取得部が前記終了要求を取得した場合、前記表示装置に前記表示データの表示の終了要求を送信するとともに、前記他の操作装置が取得した前記操作情報を前記他の操作装置に消去させてもよい。
【００４０】
これによれば、データ取得部が表示データの表示の終了要求を取得した場合、データ送信部は、他の操作装置に、保持している操作情報を消去させる。つまり、表示データの表示終了後に操作情報を消去させることで、他のユーザに操作用ＵＩを操作されるなど、ユーザの意図に反したタイミングで、操作用ＵＩを介した操作が行われることを防止することができる。
【００４１】
また、例えば、前記データ送信部は、前記データ取得部が前記終了要求を取得した場合、さらに、前記表示装置が保持している前記識別子を前記表示装置に消去させてもよい。
【００４２】
これによれば、データ取得部が表示データの表示の終了要求を取得した場合、データ送信部は、表示装置に、保持している保存場所情報を消去させる。つまり、表示データの表示終了後に表示装置の保存場所情報を消去させることで、他のユーザから操作情報の取得が要求された場合でも、当該他のユーザが表示装置を介して操作用ＵＩを取得するのを防ぎ、ユーザの意図に反したタイミングで、操作用ＵＩを介した操作が行われることを防止することができる。
【００４３】
また、例えば、前記データ保持部は、前記識別子として、所定の操作が許可されない操作情報を識別する識別子を保持しており、前記データ送信部は、前記識別子で示される前記所定の操作が許可されない操作情報を、前記他の操作装置に取得させてもよい。
【００４４】
これによれば、データ送信部は、所定の操作が許可されない操作情報を、他の操作装置に取得させる。これにより、ユーザは、当該他の操作装置を用いても、表示データに対して当該所定の操作を行うことができない。このため、操作装置による表示データの変更を制限することで、ユーザの意図しない表示データの変更を防ぐことができる。
【００４５】
また、上記目的を達成するために、本発明の一態様にかかる操作装置は、他の操作装置と、前記他の操作装置が表示データを表示させた第一表示装置及び第二表示装置と通信ネットワークを介して接続され、第一表示装置及び第二表示装置によって表示された表示データを操作する操作装置であって、前記第一表示装置または前記第二表示装置への前記表示データを操作するための情報である操作情報の取得要求に基づいて前記操作情報を取得するとともに、前記他の操作装置から、前記第一表示装置または前記第二表示装置を介して、前記第一表示装置を示す第一表示装置情報と前記第二表示装置を示す第二表示装置情報とを取得するデータ取得部と、取得された前記操作情報を保持するためのデータ保持部と、取得された前記第一表示装置情報及び前記第二表示装置情報を保持するための連携機器情報保持部と、前記データ保持部に保持されている前記操作情報を用いて、前記連携機器情報保持部に保持されている前記第一表示装置情報及び前記第二表示装置情報で示される第一表示装置及び第二表示装置が表示させている表示データを変更するためのデータを、前記第一表示装置及び前記第二表示装置に送信するデータ送信部とを備える。
【００４６】
これによれば、データ取得部が操作情報を取得し、データ送信部は、当該操作情報を用いて、連携機器情報保持部に保持されている第一表示装置情報及び第二表示装置情報で示される第一表示装置及び第二表示装置が表示させている表示データを変更するためのデータを、第一表示装置及び第二表示装置に送信する。つまり、ユーザは、操作装置が取得した操作情報を用いて、表示データを変更するためのデータを、第一表示装置及び第二表示装置の双方に送信することで、第一表示装置及び第二表示装置の双方が表示させている表示データを、一度の操作で変更させることができる。このように、ユーザが操作を行う操作装置に、複数の表示装置についての操作情報を取得させることができるため、ユーザが、表示データや操作情報を保持している装置を把握していなくとも、当該複数の表示装置が表示させている表示データを簡易に操作することができる。
【００４７】
また、本発明は、このような表示装置及び操作装置として実現することができるだけでなく、これらの表示装置及び操作装置を備える機器連携制御システムとして実現したりすることもできる。また、本発明は、これらの表示装置、操作装置または機器連携制御システムに含まれる特徴的な処理をステップとする表示方法、操作方法または機器連携制御方法として実現したり、そのような特徴的なステップをコンピュータに実行させるプログラムとして実現したりすることもできる。そして、そのようなプログラムは、ＣＤ−ＲＯＭ等の記録媒体及びインターネット等の伝送媒体を介して流通させることができるのは言うまでもない。また、本発明は、このような表示装置または操作装置の機能の一部又は全てを備える集積回路（ＬＳＩ）として実現したりすることもできる。また、本発明は、上記の装置、システム、方法、集積回路、プログラムまたは記録媒体の任意な組み合わせで実現されてもよい。
【００４８】
以下、本発明の実施の形態について、図面を参照しながら説明する。なお、以下で説明する実施の形態は、いずれも本発明の一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００４９】
（実施の形態１）
図１は、本発明の実施の形態１における機器連携制御システム１０の構成を示す図である。
【００５０】
同図に示すように、表示装置１００は、表示装置１０００と同様、ＴＶやディスプレイといった画面に表示を行う装置であり、例えば、車に設置されたカーナビゲーションの表示画面に表示を行う装置である。また、表示装置１００は、第一操作装置１１０及び第二操作装置１２０とＬＡＮ（Ｌｏｃａｌ  Ａｒｅａ  Ｎｅｔｗｏｒｋ）等の通信ネットワークを介して接続されている。
【００５１】
第一操作装置１１０及び第二操作装置１２０は、操作装置１２００と同様、スマートフォンやタブレット等のユーザが直接操作する装置であり、例えば、カーナビゲーションの表示画面に表示された画面を操作する装置である。
【００５２】
つまり、表示装置１００は、第一操作装置１１０または第二操作装置１２０の要求に従い画面に表示データを表示させる装置であり、第一操作装置１１０及び第二操作装置１２０は、表示装置１００によって表示された表示データを操作する装置である。
【００５３】
図２は、本発明の実施の形態１における表示装置１００の構成を示す図である。
【００５４】
図３Ａは、本発明の実施の形態１における第一操作装置１１０の構成を示す図である。
【００５５】
図３Ｂは、本発明の実施の形態１における第二操作装置１２０の構成を示す図である。
【００５６】
図２に示すように、表示装置１００は、表示部１０１と、代理取得部１０２とを備えている。また、図３Ａに示すように、第一操作装置１１０は、表示部１１１と、操作入力部１１２と、データ取得部１１３と、データ保持部１１４と、データ送信部１１５とを備えている。また、図３Ｂに示すように、第二操作装置１２０は、第一操作装置１１０と同様の構成であり、表示部１２１と、操作入力部１２２と、データ取得部１２３と、データ保持部１２４と、データ送信部１２５とを備えている。
【００５７】
なお、第一操作装置１１０が備える表示部１１１、操作入力部１１２、データ取得部１１３、データ保持部１１４及びデータ送信部１１５のそれぞれは、第二操作装置１２０が備える表示部１２１、操作入力部１２２、データ取得部１２３、データ保持部１２４及びデータ送信部１２５と同様の機能を有するため、以下では、第一操作装置１１０が備える各処理部についての説明を行い、第二操作装置１２０が備える各処理部についての説明は、省略する。
【００５８】
表示装置１００の表示部１０１は、第一操作装置１１０によって送信された表示データを受信し、画面に表示させる。具体的には、表示部１０１は、データ送信部１１５が送信した表示データをＬＣＤなどの表示デバイス（図示せず）上に表示させるための処理部である。一般には、表示装置１００の表示部１０１は、動画や写真などを美しく迫力ある形で表示できるように、第一操作装置１１０の表示部１１１や第二操作装置１２０の表示部１２１に比べ、大きく高解像度な画面上に表示させるのが望ましい。
【００５９】
また、当該表示デバイスは、複数のユーザが同時に参照できるような位置に設置されるのが望ましい。なお、当該表示デバイスは、表示装置１００に備えられていてもよいし、表示装置１００の外部に備えられていてもよい。
【００６０】
表示装置１００の代理取得部１０２は、表示部１０１が表示させる表示データを操作するための情報である操作情報を識別する識別子を第一操作装置１１０から取得し、第二操作装置１２０から操作情報の取得を要求された場合に、当該識別子で示される操作情報を第二操作装置１２０に取得させる。
【００６１】
具体的には、代理取得部１０２は、当該識別子として、第一操作装置１１０に保持されている操作情報の保存場所に関する情報である保存場所情報を取得し、第二操作装置１２０から操作情報の取得を要求された場合に、当該保存場所情報で示される操作情報の保存場所から操作情報を取得し、取得した操作情報を第二操作装置１２０に送信することで、操作情報を第二操作装置１２０に取得させる。
【００６２】
つまり、代理取得部１０２は、第二操作装置１２０のデータ取得部１２３からのＵＩ取得要求を受けると、表示部１０１が表示させている表示データに対応する操作用ＵＩを第一操作装置１１０のデータ保持部１１４から取得し、データ取得部１２３へ送信する。
【００６３】
また、代理取得部１０２は、第一操作装置１１０から表示データの表示の終了要求を受信した場合、第二操作装置１２０に対し第二操作装置１２０が取得した操作情報を消去させる。つまり、代理取得部１０２は、操作用ＵＩを保持していた第一操作装置１１０のデータ送信部１１５から表示データの表示終了を要求されると、過去にＵＩ取得要求を受けた第二操作装置１２０のデータ取得部１２３に対して、操作用ＵＩの破棄を要求する。
【００６４】
第一操作装置１１０の表示部１１１は、表示部１０１と同様、ＬＣＤなどの表示デバイス（図示せず）上に表示データを表示させるための処理部である。なお、当該表示デバイスは、第一操作装置１１０に備えられていてもよいし、第一操作装置１１０の外部に備えられていてもよい。
【００６５】
また、表示部１１１は、データ保持部１１４が保持する操作用ＵＩを表示させ、操作入力部１１２から通知されるユーザ操作に従って、表示内容を変更する。また、表示部１１１は、データ取得部１１３から操作用ＵＩの破棄を要求されると、現在表示している操作用ＵＩを非表示にした上で、操作用ＵＩを破棄する。
【００６６】
操作入力部１１２は、タッチパネルやキーなどのユーザ操作を入力するための処理部であり、ユーザ操作結果を表示部１１１及びデータ送信部１１５へ通知する。
【００６７】
データ取得部１１３は、表示データを操作する他の操作装置からの表示装置１００への操作情報の取得要求に基づいて、表示装置１００が受信した識別子を取得する。具体的には、データ取得部１１３は、当該取得要求に基づいて、表示装置１００が受信した保存場所情報を表示装置１００から取得する。
【００６８】
また、データ取得部１１３は、表示装置１００への操作情報の取得要求に基づいて、操作情報を取得する。つまり、データ取得部１１３は、表示部１１１からの要求に従いデータ保持部１１４または代理取得部１０２から操作用ＵＩを取得し、表示部１１１に渡す。
【００６９】
また、データ取得部１１３は、表示装置１００によって表示された表示データの表示の終了要求を取得する。また、データ取得部１１３は、代理取得部１０２から操作用ＵＩの破棄を要求されると、表示部１１１に操作用ＵＩを破棄するように要求する。
【００７０】
データ保持部１１４は、表示データを操作するための情報である操作情報を識別する識別子を保持している。つまり、データ保持部１１４は、当該識別子として操作情報の保存場所に関する情報である保存場所情報を、表示データと操作情報とに対応付けて保持している。また、データ保持部１１４は、データ取得部１１３が取得した操作情報を保持する。
【００７１】
具体的には、データ保持部１１４は、ＨＤＤやＦｌａｓｈメモリなどの記憶デバイスを備え、表示データ及び表示データを操作するための操作用ＵＩを保持する。ここで表示データとは、テキストや画像、動画といったコンテンツデータ、および、ＨＴＭＬなどのように、テキストや画像、動画を組み合わせた画面構成を示すデータ、または、これに相当する処理を行うＪａｖａ（登録商標）Ｓｃｒｉｐｔなどのプログラムなどである。
【００７２】
また、操作用ＵＩとは、ユーザ操作に従って表示データを操作するためのユーザインタフェイスを提供するプログラムであり、例えば、画像の拡大、縮小、動画の再生、停止、早送り、巻き戻しなどのボタンの表示である。なお、操作用ＵＩからの指示によって表示データを変更するためのプログラムは、表示装置１００、第一操作装置１１０及び第二操作装置１２０のうち少なくとも１つの装置に備えられている。また、表示データは、操作用ＵＩと同様、ユーザとのインタラクションも含んだユーザインタフェイスを提供するプログラムであっても良い。
【００７３】
図４は、本発明の実施の形態１におけるデータ保持部１１４が保持するデータの内容を示す図である。
【００７４】
同図に示すように、データ保持部１１４は、各表示データと、それを操作する操作用ＵＩを示す操作情報と、操作用ＵＩの保存場所を示す情報である保存場所情報とを関連付けて保持している。
【００７５】
データ送信部１１５は、表示データを表示装置１００に取得させるとともに、データ保持部１１４に保持されている識別子を表示装置１００に送信する。具体的には、データ送信部１１５は、データ保持部１１４に保持されている表示データと保存場所情報とを表示装置１００に送信する。
【００７６】
つまり、データ送信部１１５は、操作入力部１１２から通知されたユーザ操作に従い、データ保持部１１４に保持されている表示データと、それを操作するための操作用ＵＩの保存場所とを、通信ネットワークを介して表示装置１００の表示部１０１へ通知する。
【００７７】
また、データ送信部１１５は、データ取得部１１３が当該識別子を取得した場合に、当該識別子で示される操作情報を送信し、他の操作装置に操作情報を取得させる。具体的には、データ送信部１１５は、データ取得部１１３が表示装置１００から保存場所情報を取得した場合に、データ保持部１１４に保持されている保存場所情報に対応付けられた操作情報を表示装置１００に送信することで、表示装置１００を介して操作情報を他の操作装置に取得させる。
【００７８】
また、データ送信部１１５は、データ取得部１１３が表示データの表示の終了要求を取得した場合、表示装置１００に表示データの表示の終了要求を送信するとともに、他の操作装置が取得した操作情報を他の操作装置に消去させる。具体的には、データ送信部１１５は、ユーザが操作入力部１１２を介して表示データの表示終了を指示すると、表示データを送信した表示装置１００の代理取得部１０２に、操作用ＵＩの破棄を要求する。
【００７９】
また、データ送信部１１５は、データ取得部１１３が当該終了要求を取得した場合、さらに、表示装置１００が保持している識別子を表示装置１００に消去させる。具体的には、データ送信部１１５は、ユーザが当該表示データの表示終了を指示すると、表示装置１００が第一操作装置１１０から取得して保持している保存場所情報を、表示装置１００に破棄させる。  
【００８０】
また、データ送信部１１５は、データ保持部１１４に保持されている操作情報を用いて、表示装置１００が表示させている表示データを変更するためのデータを、表示装置１００に送信する。なお、第二操作装置１２０は、第一操作装置１１０を操作するユーザとは異なるユーザから操作される。
【００８１】
次に、第一操作装置１１０を操作するユーザＡが、第一操作装置１１０が保持する表示データを表示装置１００に表示する際の処理の流れを示す。
【００８２】
図５は、本発明の実施の形態１における第一操作装置１１０が表示装置１００に表示データを表示させる処理を示すフローチャートである。
【００８３】
同図に示すように、まず、第一操作装置１１０において、ユーザＡが、送付する表示データを選択し、送付先の機器として表示装置１００を指定すると、操作入力部１１２が、選択された表示データと送付先の機器である表示装置１００とをデータ送信部１１５へ通知する（Ｓ１０２）。
【００８４】
より具体的には、ユーザＡは、第一操作装置１１０において、操作入力部１１２を介して、データ保持部１１４に保持されている表示データの一覧を、表示部１１１を用いて表示させ、その一覧の中から、他機器へ表示したい表示データを選択する。また、ユーザＡは、通信ネットワークを介して接続されている機器の一覧を表示部１１１に表示させ、その一覧の中から、送付先となる機器（本実施の形態においては表示装置１００）を選択する。
【００８５】
次に、データ送信部１１５は、操作入力部１１２において選択された表示データ、および、その表示データに対応する操作用ＵＩのＵＲＬを、データ保持部１１４から取得する（Ｓ１０４）。
【００８６】
ここで、操作用ＵＩのＵＲＬは、第一操作装置１１０のＩＰアドレスとデータ保持部１１４内の格納位置を示すパスを組み合わせたものである。一例として、図４に示された表示データ１がユーザに選択された場合は、データ送信部１１５は、表示データ１と、操作用ＵＩ１のＵＲＬであるＵＲＬ１とを、データ保持部１１４から取得する。
【００８７】
次に、データ送信部１１５は、通信ネットワークを介してユーザから指定された送付先の機器の表示部１０１へ、データ保持部１１４から取得した表示データ、および、その表示データに対応する操作用ＵＩのＵＲＬを送付する（Ｓ１０６）。本実施の形態においては、表示装置１００の表示部１０１に、表示データ１、及び、操作用ＵＩ１のＵＲＬ１が送付される。
【００８８】
次に、表示装置１００の表示部１０１は、第一操作装置１１０のデータ送信部１１５から、表示データ及び操作用ＵＩのＵＲＬ１を通知されると、通知された操作用ＵＩのＵＲＬ１を代理取得部１０２に通知し、代理取得部１０２は通知されたＵＲＬ１を保持する（Ｓ１０８）。
【００８９】
その後、表示部１０１は、通知された表示データを画面上に表示させる（Ｓ１１０）。その後、ユーザが表示装置１００に表示したい内容が変化した場合には、再度Ｓ１０２からＳ１１０までの手順を繰り返すことにより、表示装置１００に表示する表示データを更新する。なお、送付先の機器選択については、一度選択した後に変更がない場合は、選択処理を省略し、前回送付した機器へ再度送付するようにしても良い。
【００９０】
次に、第二操作装置１２０を操作するユーザＢが、表示装置１００に表示されている表示データを操作するために、操作用ＵＩを取得する際の処理の流れを示す。
【００９１】
図６は、本発明の実施の形態１における第二操作装置１２０が操作用ＵＩを表示する処理を示すフローチャートである。
【００９２】
同図に示すように、まず、第二操作装置１２０において、ユーザＢが操作用ＵＩを用いて操作したい対象が表示されている表示装置を選択すると、操作入力部１２２が、選択された操作対象の表示装置をデータ取得部１２３へ通知する（Ｓ２０２）。
【００９３】
より具体的には、ユーザＢは、第二操作装置１２０において、操作入力部１２２を介して、通信ネットワークに接続されている機器の一覧を表示部１２１に表示させ、その一覧の中から、操作対象となる表示装置（本実施の形態においては表示装置１００）を選択する。
【００９４】
次に、データ取得部１２３は、操作入力部１２２から操作対象となる表示装置１００が通知されると、通信ネットワークを介して、表示装置１００の代理取得部１０２に操作用ＵＩを要求する（Ｓ２０４）。
【００９５】
次に、表示装置１００の代理取得部１０２は、データ取得部１２３から操作用ＵＩを要求されると、表示装置１００の表示部１０１に現在表示されている表示データに対応する操作用ＵＩのＵＲＬに基づいて、操作用ＵＩを、第一操作装置１１０のデータ保持部１１４から通信ネットワークを介して取得する（Ｓ２０６）。
【００９６】
一例として、表示装置１００の表示部１０１に表示データ１が表示されている場合は、図５のＳ１０８において、代理取得部１０２には、第一操作装置１１０に保持されている操作用ＵＩ１のＵＲＬ１が格納されているので、これに基づき、代理取得部１０２は、第一操作装置１１０のデータ保持部１１４から操作用ＵＩ１を取得する。
【００９７】
次に、代理取得部１０２は、通信ネットワークを介して、操作用ＵＩを要求された第二操作装置１２０のデータ取得部１２３へ操作用ＵＩを送付する（Ｓ２０８）。
【００９８】
最後に、第二操作装置１２０のデータ取得部１２３は、通知された操作用ＵＩを表示部１２１へ通知し、表示部１２１は、通知された操作用ＵＩを表示させる（Ｓ２１０）。
【００９９】
上記処理により、表示装置１００に現在表示されている表示データに対応する操作用ＵＩが第二操作装置１２０に表示され、これを介して、ユーザＢも、表示装置１００に表示されている表示データを操作することが可能になる。
【０１００】
具体例として、第二操作装置１２０の表示部１２１に表示されている操作用ＵＩを介して、表示装置１００に表示されている表示データを操作する処理について説明する。例えば、表示データが画像データで、操作用ＵＩに拡大ボタン、縮小ボタン及び次の写真へ切替ボタンが配置されている場合、操作入力部１２２には、操作用ＵＩを表示している表示部１２１へユーザによってボタンが押されたことが通知される。そして、表示部１２１は、押されたボタンに対応する命令を表示装置１００の表示部１０１へ通知し、表示部１０１は当該命令に対応して、表示内容を切り替える。
【０１０１】
例えば、拡大または縮小ボタンが押された場合は、表示部１０１は、表示している写真を拡大または縮小表示する。また、次の写真へ切替ボタンが押された場合は、表示部１０１は、第一操作装置１１０のデータ送信部１１５に、次の写真を要求し、データ送信部１１５は図５のＳ１０４からの処理を再度実行することで、表示装置１００に表示する表示データを切り替える（本実施の形態の場合は、次の写真が表示される）。
【０１０２】
また、表示データが動画の場合は、拡大または縮小の代わりに再生、停止や早送り、巻き戻しなどのボタンが配置され、これらボタンが押下された際に、表示装置１００の表示部１０１に命令を要求し、表示部１０１は要求に応じて表示内容を更新する。その際、ストリーミング再生など、表示データを保持している第一操作装置１１０に対する操作が必要な場合は、表示部１０１は、第一操作装置１１０のデータ送信部１１５に対して、データ送信方法の変更（再生、停止、早送りまたは巻き戻しなど）を要求する。
【０１０３】
次に、第一操作装置１１０を操作するユーザＡが、表示装置１００に表示されている表示データの表示を終了する際の処理の流れを示す。
【０１０４】
図７は、本発明の実施の形態１における第一操作装置１１０が表示データの表示を終了する処理を示すフローチャートである。
【０１０５】
同図に示すように、まず、ユーザＡが、操作入力部１１２を介して、表示データの表示終了を要求する（Ｓ３０２）と、データ送信部１１５は、過去に表示データを送付した表示装置１００の代理取得部１０２に、操作用ＵＩの破棄を要求する（Ｓ３０４）。
【０１０６】
そして、代理取得部１０２は、当該要求を受けると、過去に操作用ＵＩの代理取得を要求された第二操作装置１２０のデータ取得部１２３に、操作用ＵＩの破棄を要求する（Ｓ３０６）。
【０１０７】
そして、第二操作装置１２０のデータ取得部１２３は、当該要求を受けると、表示部１２１に表示されている操作用ＵＩを非表示にした後、データ保持部１２４に保持されている操作用ＵＩを破棄するように要求し、当該操作用ＵＩを破棄する（Ｓ３０８）。なお、複数の操作装置から代理取得要求が行われた場合は、Ｓ３０６からＳ３０８までの処理を繰り返し行うことで、全ての操作装置から操作用ＵＩを破棄する。
【０１０８】
また、データ送信部１１５は、表示装置１００が保持している操作用ＵＩのＵＲＬを破棄するように、表示装置１００に要求する（Ｓ３１０）。これにより、表示装置１００の代理取得部１０２は、保持している操作用ＵＩのＵＲＬを破棄する。
【０１０９】
なお、代理取得部１０２は、ユーザＡによる表示データの表示終了の要求によってデータ送信部１１５から操作用ＵＩの破棄の要求を受け付けた場合に、保持している操作用ＵＩのＵＲＬを破棄することにしてもよい。
【０１１０】
最後に、第一操作装置１１０において、操作入力部１１２が受け付けた表示終了要求によって、表示部１１１が現在表示している操作用ＵＩを非表示にし（Ｓ３１２）、処理を終了する。
【０１１１】
次に、表示装置１００と第一操作装置１１０と第二操作装置１２０とが行う一連の処理の流れについて、説明する。
【０１１２】
図８は、本発明の実施の形態１における表示装置１００と第一操作装置１１０と第二操作装置１２０とが行う処理を示すシーケンス図である。
【０１１３】
図９は、本発明の実施の形態１における表示装置１００と第一操作装置１１０と第二操作装置１２０とが行う処理を説明する図である。
【０１１４】
なお、図９において、表示装置１００は、車の助手席用に設置された表示装置を示しており、第一操作装置１１０は、車の助手席用に設置されたスマートフォンなどの操作装置を示している。また、第二操作装置１２０は、車のリアシート用に設置されたスマートフォンなどの操作装置を示している。また、第一操作装置１１０は、ユーザＡによって操作され、第二操作装置１２０は、ユーザＢによって操作される。
【０１１５】
図８及び図９に示すように、まず、ユーザＡの操作により、第一操作装置１１０が、表示データと、データ保持部１１４に保持されている操作情報を識別する識別子である操作用ＵＩのＵＲＬとを、表示装置１００に送信する（Ｓ４０２）。そして、表示装置１００が、第一操作装置１１０によって送信された表示データと操作用ＵＩのＵＲＬとを受信する。
【０１１６】
次に、表示装置１００は、表示部１０１に、受信した表示データを表示させるとともに、代理取得部１０２に、受信した操作用ＵＩのＵＲＬを保持させる（Ｓ４０４）。
【０１１７】
そして、第二操作装置１２０が、ユーザＢによる指示に基づいて、表示装置１００に操作情報である操作用ＵＩの取得を要求する（Ｓ４０６）。
【０１１８】
そして、操作用ＵＩの取得を要求された表示装置１００は、第一操作装置１１０に、表示装置１００が第一操作装置１１０から受信した操作用ＵＩのＵＲＬを送信し、第一操作装置１１０は、当該操作用ＵＩのＵＲＬを取得する（Ｓ４０８）。
【０１１９】
そして、第一操作装置１１０は、表示装置１００から取得した操作用ＵＩのＵＲＬを用いて、当該ＵＲＬで示される操作用ＵＩを取得し、当該操作用ＵＩを送信する（Ｓ４１０）。
【０１２０】
そして、表示装置１００は、第一操作装置１１０が送信した操作用ＵＩを受信して第二操作装置１２０に当該操作用ＵＩを送信することで、第二操作装置１２０は、第一操作装置１１０が送信した操作用ＵＩを取得する（Ｓ４１２）。
【０１２１】
そして、第二操作装置１２０は、取得した操作用ＵＩを、データ保持部１２４に保持させる（Ｓ４１４）。
【０１２２】
そして、第二操作装置１２０は、データ保持部１２４に保持されている操作用ＵＩを用いて、表示装置１００が表示させている表示データを変更するためのデータを、表示装置１００に送信する（Ｓ４１６）。つまり、ユーザＢが、操作用ＵＩを介して、第二操作装置１２０に、表示装置１００への表示データ変更要求を行う。
【０１２３】
これにより、表示装置１００は、表示させている表示データを変更する（Ｓ４１８）。
【０１２４】
以上のように、本発明の実施の形態１における表示装置１００によれば、代理取得部１０２が、操作情報を識別する識別子を第一操作装置１１０から取得しておき、第二操作装置１２０から操作情報の取得を要求された場合に、識別子で示される操作情報を第二操作装置１２０に取得させる。このため、ユーザは、第二操作装置１２０を用いて、操作したい表示データが表示されている表示装置１００を選択するだけで、それに対応した操作用ＵＩなどの操作情報を第二操作装置１２０に取得させ、その操作用ＵＩを用いて、表示データを操作することができる。つまり、ユーザは、表示装置１００に表示されている表示データや、それを操作するための操作用ＵＩが保存されている場所を意識することなく、表示装置１００を選択するという簡便な操作だけで所望の表示データを操作することができる。このように、ユーザが操作を行う操作装置に操作情報を取得させることができるため、ユーザが、表示データや操作情報を保持している装置を把握していなくとも、当該表示データを操作することができる。
【０１２５】
また、表示装置１００の代理取得部１０２を介して、表示装置１００によって表示されている表示データに対応する操作用ＵＩを取得するため、ユーザの意図に反し、表示装置１００を通して他のユーザに共有して見せている表示データ以外の操作用ＵＩが取得されて、意図しない表示データが操作されることを防止できる。
【０１２６】
また、表示装置１００の代理取得部１０２は、第一操作装置１１０に保持されている操作情報の保存場所に関する保存場所情報を操作情報を識別する識別子として取得し、当該保存場所情報で示される操作情報の保存場所から操作情報を取得して、当該操作情報を第二操作装置１２０に送信する。つまり、代理取得部１０２は、操作情報を第二操作装置１２０に直接送信することで、操作情報を第二操作装置１２０に取得させることができる。このため、ユーザが操作を行う操作装置に操作情報を取得させることができるため、ユーザが、表示データや操作情報を保持している装置を把握していなくとも、当該表示データを操作することができる。
【０１２７】
また、表示装置１００の代理取得部１０２は、第一操作装置１１０から表示データの表示の終了要求を受信した場合に、第二操作装置１２０に、保持している操作情報を消去させる。つまり、表示装置１００への表示を終了した際には、データ送信部１１５が代理取得部１０２を介して、他の機器に送付された操作用ＵＩを破棄するため、表示終了後に、他のユーザに操作用ＵＩを操作されるなど、ユーザの意図に反したタイミングで、操作用ＵＩを介した操作が行われることを防止することができる。
【０１２８】
また、本発明の実施の形態１における第一操作装置１１０によれば、データ送信部１１５は、データ保持部１１４に保持されている操作情報を識別する識別子を表示装置１００に送信し、その後、当該識別子を取得した場合に、当該識別子で示される操作情報を送信して、他の操作装置である第二操作装置１２０に操作情報を取得させる。このため、ユーザは、他の操作装置である第二操作装置１２０を用いて、操作したい表示データが表示されている表示装置１００を選択するだけで、それに対応した操作用ＵＩなどの操作情報を他の操作装置に取得させ、その操作用ＵＩを用いて、表示データを操作することができる。つまり、ユーザは、表示装置１００に表示されている表示データや、それを操作するための操作用ＵＩが保存されている場所を意識することなく、表示装置１００を選択するという簡便な操作だけで所望の表示データを操作することができる。このように、ユーザが操作を行う操作装置に操作情報を取得させることができるため、ユーザが、表示データや操作情報を保持している装置を把握していなくとも、当該表示データを操作することができる。
【０１２９】
また、第一操作装置１１０のデータ送信部１１５は、データ保持部１１４に保持されている操作情報の保存場所に関する保存場所情報を操作情報を識別する識別子として表示装置１００に送信した後、データ取得部１１３が当該保存場所情報を表示装置１００から取得した場合、当該保存場所情報に対応付けられた操作情報を表示装置１００に送信する。つまり、データ送信部１１５が操作情報を表示装置１００に送信して、表示装置１００が当該操作情報を他の操作装置に送信することで、操作情報を第二操作装置１２０に取得させることができる。このため、ユーザが操作を行う操作装置に操作情報を取得させることができるため、ユーザが、表示データや操作情報を保持している装置を把握していなくとも、当該表示データを操作することができる。
【０１３０】
また、第一操作装置１１０のデータ取得部１１３が表示データの表示の終了要求を取得した場合、データ送信部１１５は、他の操作装置に、保持している操作情報を消去させる。つまり、表示データの表示終了後に操作情報を消去させることで、他のユーザに操作用ＵＩを操作されるなど、ユーザの意図に反したタイミングで、操作用ＵＩを介した操作が行われることを防止することができる。
【０１３１】
また、データ取得部１１３が表示データの表示の終了要求を取得した場合、データ送信部１１５は、表示装置１００に、保持している保存場所情報を消去させる。つまり、表示データの表示終了後に表示装置１００の保存場所情報を消去させることで、他のユーザから操作情報の取得が要求された場合でも、当該他のユーザが表示装置１００を介して操作用ＵＩを取得するのを防ぎ、ユーザの意図に反したタイミングで、操作用ＵＩを介した操作が行われることを防止することができる。
【０１３２】
なお、本実施の形態において、双方向に同じ操作が行えるよう、第一操作装置１１０と第二操作装置１２０とは同じ構成であることとしたが、各々必要な処理部だけを備えるような構成にしても良い。例えば、図１０Ａに示すように、データ取得部１１３、データ保持部１１４及びデータ送信部１１５を備える第一操作装置１１０ａとして構成されてもよいし、図１０Ｂに示すように、データ取得部１２３、データ保持部１２４及びデータ送信部１２５を備える第二操作装置１２０ａとして構成されてもよい。なお、図１０Ａ及び図１０Ｂは、本発明の実施の形態１における第一操作装置と第二操作装置の最小構成を示す図である。
【０１３３】
また、本実施の形態において、ユーザＡは、第一操作装置１１０を操作するものとしたが、表示装置１００に第一操作装置１１０が有する操作入力部１１２とデータ保持部１１４などの機能を設け、表示装置１００を直接操作するようにしても良い。
【０１３４】
また、図１７に示したシステム構成と同様に、被操作装置１１００が通信ネットワークに接続されている場合は、第一操作装置１１０が有するデータ送信部１１５とデータ保持部１１４の機能を被操作装置１１００に配置し、ユーザＡが操作する第一操作装置１１０の表示部１１１から、被操作装置１１００のデータ送信部とデータ保持部に要求を出して、表示装置１００上に表示データを表示させるようにしても良い。
【０１３５】
なお、この場合は、代理取得部１０２には、現在表示されている表示データに対応する操作用ＵＩのＵＲＬとして、被操作装置１１００のＩＰアドレスとデータ保持部のディレクトリパスが格納されることとなり、第二操作装置１２０から操作用ＵＩの取得要求が来た際には、被操作装置１１００のデータ保持部に保持されている表示データに対応する操作用ＵＩが通知されることとなる。
【０１３６】
また、第二操作装置１２０が予めデータ保持部１２４に操作用ＵＩを保持している場合には、データ送信部１１５は、表示データに対応する操作用ＵＩのＵＲＬの代わりに操作用ＵＩを識別するためのＵＩ種別やＩＤなどを、表示装置１００に通知する。そして、代理取得部１０２は、第二操作装置１２０のデータ取得部１２３から操作用ＵＩの取得要求を受けた際に、操作用ＵＩそのものではなく、通知された操作用ＵＩを識別するためのＵＩ種別やＩＤなどをデータ取得部１２３へ通知する。そして、データ取得部１２３は、代理取得部１０２から通知された種別やＩＤに基づいて、同じ機器（第二操作装置１２０）内のデータ保持部１２４から、操作用ＵＩを取得するようにしてもよい。また、この場合、表示装置１００にデータ保持部１１４の機能を設け、第一操作装置１１０からは表示データの変わりに、表示装置１００のデータ保持部が保持するどの表示データを表示するかを識別する情報のみを送るようにしても良い。
【０１３７】
また、本実施の形態において、第二操作装置１２０から表示装置１００の表示データを操作する際に、表示データを保持している第一操作装置１１０に対しても命令が必要な場合は、表示装置１００の表示部１０１を介して、第一操作装置１１０のデータ送信部１１５へ命令を送ることとした。しかし、操作用ＵＩと共に表示データを保持している機器（第一操作装置１１０）の情報も第二操作装置１２０へ通知するようにすることで、第二操作装置１２０が直接、第一操作装置１１０のデータ送信部１１５に命令を送るようにしても良い。
【０１３８】
また、本実施の形態において、第二操作装置１２０で表示する制御用ＵＩを、第一操作装置１１０が表示するものと同じものにしたが、他の機器から操作する場合は、操作可能な範囲を限定するために異なる制御用ＵＩを送付するようにしても良い。つまり、データ保持部１１４は、制御用ＵＩの識別子として、所定の操作が許可されない操作情報を識別する識別子を保持していることにしても良い。
【０１３９】
例えば、第一操作装置１１０は、他の機器から操作用ＵＩの取得を要求された際に、直接取得要求が来たものに対しては、要求元は、操作用ＵＩの保持先を知っている操作用ＵＩ及び表示データのオーナーユーザであると判定する。また、第一操作装置１１０は、表示装置１００経由で間接的に取得要求がきたものに対しては、要求元は、操作用ＵＩの保存先を知らないゲストユーザであると判定することで、操作可能な範囲が異なる違う操作用ＵＩを送付する。
【０１４０】
または、第一操作装置１１０は、オーナーユーザへ送付する操作用ＵＩと同じ表示ではあるが、オーナーユーザに比べ操作可能な範囲が限定されているような操作用ＵＩを、ゲストユーザに送付することにしてもよい。
【０１４１】
これにより、第一操作装置１１０のデータ送信部１１５は、所定の操作が許可されない操作情報を、他の操作装置に取得させるため、ユーザは、当該他の操作装置を用いても、表示データに対して当該所定の操作を行うことができない。したがって、操作装置による表示データの変更を制限することで、ユーザの意図しない表示データの変更を防ぐことができる。
【０１４２】
また、本実施の形態では、第二操作装置１２０は、表示装置１００経由で、操作用ＵＩを取得することにしたが、以下に説明するように、第二操作装置１２０は、第一操作装置１１０から操作用ＵＩを直接取得することにしてもよい。
【０１４３】
図１１は、本発明の実施の形態１の変形例における表示装置１００と第一操作装置１１０と第二操作装置１２０とが行う処理を示すシーケンス図である。
【０１４４】
同図に示すように、まず、第一操作装置１１０が、表示データと操作用ＵＩのＵＲＬとを表示装置１００に送信し（Ｓ４０２）、表示装置１００が、表示データを表示させるとともに操作用ＵＩのＵＲＬを保持し（Ｓ４０４）、第二操作装置１２０が、表示装置１００に操作用ＵＩの取得を要求する（Ｓ４０６）。なお、これらの処理は、図８における処理と同様のため、詳細な説明は省略する。
【０１４５】
そして、操作用ＵＩの取得を要求された表示装置１００の代理取得部１０２は、操作用ＵＩのＵＲＬを第二操作装置１２０に送信する（Ｓ５０２）。
【０１４６】
そして、操作用ＵＩのＵＲＬを受信した第二操作装置１２０は、当該ＵＲＬを参照して、操作用ＵＩが保持されている第一操作装置１１０に対して、操作用ＵＩのＵＲＬを送信する（Ｓ５０４）。これにより、第一操作装置１１０のデータ取得部１１３は、表示装置１００が受信して第二操作装置１２０に送信した操作用ＵＩのＵＲＬを第二操作装置１２０から取得する。
【０１４７】
そして、第一操作装置１１０のデータ送信部１１５は、データ保持部１１４に保持されている操作用ＵＩのＵＲＬに対応付けられた操作用ＵＩを第二操作装置１２０に送信する（Ｓ５０６）。
【０１４８】
そして、第二操作装置１２０は、取得した操作用ＵＩをデータ保持部１２４に保持させ（Ｓ４１４）、当該操作用ＵＩを用いて表示装置１００に対して表示データの変更要求を行い（Ｓ４１６）、表示装置１００は、表示させている表示データを変更する（Ｓ４１８）。なお、これらの処理は、図８における処理と同様のため、詳細な説明は省略する。
【０１４９】
以上のように、本発明の実施の形態１の変形例における表示装置１００によれば、代理取得部１０２は、第一操作装置１１０に保持されている操作情報の保存場所に関する保存場所情報を操作情報を識別する識別子として取得し、当該保存場所情報を第二操作装置１２０に送信する。つまり、代理取得部１０２は、保存場所情報を第二操作装置１２０に送信することで、当該保存場所情報に基づいて第二操作装置１２０に操作情報を取得させることができる。このため、ユーザが操作を行う操作装置に操作情報を取得させることができるため、ユーザが、表示データや操作情報を保持している装置を把握していなくとも、当該表示データを操作することができる。
【０１５０】
また、本発明の実施の形態１の変形例における第一操作装置１１０によれば、データ送信部１１５は、データ保持部１１４に保持されている操作情報の保存場所に関する保存場所情報を操作情報を識別する識別子として表示装置１００に送信した後、データ取得部１１３が当該保存場所情報を第二操作装置１２０から取得した場合、当該保存場所情報に対応付けられた操作情報を第二操作装置１２０に送信する。つまり、データ送信部１１５が操作情報を第二操作装置１２０に直接送信することで、第二操作装置１２０に操作情報を取得させることができる。このため、ユーザが操作を行う操作装置に操作情報を取得させることができるため、ユーザが、表示データや操作情報を保持している装置を把握していなくとも、当該表示データを操作することができる。
【０１５１】
また、本発明の実施の形態１及びその変形例では、第一操作装置１１０のデータ保持部１１４が操作用ＵＩと操作用ＵＩのＵＲＬとの双方を保持しており、第二操作装置１２０は、操作用ＵＩのＵＲＬから得られる操作用ＵＩを取得することとした。しかし、データ保持部１１４は操作用ＵＩのＵＲＬは保持しているが、操作用ＵＩは他の装置に保持されており、第二操作装置１２０は、当該操作用ＵＩのＵＲＬを用いることで、当該他の装置から操作用ＵＩを取得することにしてもよい。
【０１５２】
（実施の形態２）
次に、本発明の実施の形態２における機器連携制御システム１１について、説明する。
【０１５３】
図１２は、本発明の実施の形態２における機器連携制御システム１１の構成を示す図である。
【０１５４】
同図に示すように、本実施の形態２における機器連携制御システム１１は、２つの表示装置である第一表示装置１３０及び第二表示装置１４０と、２つの操作装置である第一操作装置１５０及び第二操作装置１６０とを備えている。
【０１５５】
第一表示装置１３０及び第二表示装置１４０は、表示装置１００と同様、表示データを表示するための機器である。本実施の形態では、例えば、車の運転席や助手席と、後部座席などのように、同じ表示装置を見ることが難しいために、助手席用表示装置と後部座席用表示装置などのように２つの表示装置に同じ表示データを表示させて内容を共有する場合を想定する。
【０１５６】
図１３Ａは、本発明の実施の形態２における第一表示装置１３０の構成を示す図であり、図１３Ｂは、本発明の実施の形態２における第二表示装置１４０の構成を示す図である。
【０１５７】
また、図１４Ａは、本発明の実施の形態２における第一操作装置１５０の構成を示す図であり、図１４Ｂは、本発明の実施の形態２における第二操作装置１６０の構成を示す図である。
【０１５８】
図１３Ａに示すように、第一表示装置１３０は、表示部１０１と、代理取得部１０２と、連携機器情報代理取得部１３１とを備えている。また、図１３Ｂに示すように、第二表示装置１４０は、表示部１４１と、代理取得部１４２と、連携機器情報代理取得部１４３とを備えている。
【０１５９】
また、図１４Ａに示すように、第一操作装置１５０は、表示部１１１と、操作入力部１１２と、データ取得部１１３と、データ保持部１１４と、データ送信部１１５と、連携機器情報保持部１５１とを備えている。また、図１４Ｂに示すように、第二操作装置１６０は、第一操作装置１５０と同様の構成であり、表示部１２１と、操作入力部１２２と、データ取得部１２３と、データ保持部１２４と、データ送信部１２５と、連携機器情報保持部１６１とを備えている。
【０１６０】
なお、図１３Ａにおいて、図２と同じ構成要素である表示部１０１及び代理取得部１０２については、同じ符号を用い、詳細な説明は省略する。また、第二表示装置１４０が備える表示部１４１、代理取得部１４２及び連携機器情報代理取得部１４３は、第一表示装置１３０が備える表示部１０１、代理取得部１０２及び連携機器情報代理取得部１３１と同様の機能を有するため、詳細な説明は省略する。
【０１６１】
また、図１４Ａにおいて、図３Ａと同じ構成要素である表示部１１１、操作入力部１１２、データ取得部１１３、データ保持部１１４及びデータ送信部１１５については、同じ符号を用い、説明を省略する。また同様に、図１４Ｂにおいて、図３Ｂと同じ構成要素である表示部１２１、操作入力部１２２、データ取得部１２３、データ保持部１２４及びデータ送信部１２５については、同じ符号を用い、詳細な説明は省略する。また、第一操作装置１５０が備える連携機器情報保持部１５１は、第二操作装置１６０が備える連携機器情報保持部１６１と同様の機能を有するため、詳細な説明は省略する。
【０１６２】
第一表示装置１３０の連携機器情報代理取得部１３１は、代理取得部１０２から、操作用ＵＩの取得先の操作装置が通知されると、通知された操作装置の連携機器情報保持部が保持している連携機器情報を取得する。ここでは、連携機器情報代理取得部１３１は、連携機器情報として、第一表示装置１３０を示す第一表示装置情報と、第二表示装置１４０を示す第二表示装置情報とを取得する。
【０１６３】
データ取得部１１３は、第一表示装置１３０または第二表示装置１４０への表示データを操作するための情報である操作情報の取得要求に基づいて操作情報を取得するとともに、他の操作装置から、第一表示装置１３０または第二表示装置１４０を介して、第一表示装置１３０を示す第一表示装置情報と第二表示装置１４０を示す第二表示装置情報とを取得する。
【０１６４】
データ保持部１１４は、データ取得部１１３が取得した操作情報を保持する。
【０１６５】
連携機器情報保持部１５１は、ＳＤＲＡＭなどの一次記憶デバイスを備え、過去にデータ送信部１１５が、表示データを送付した表示装置の情報を保持する。ここで表示装置の情報とは、機器を識別するためのＩＤや名前、ＩＰアドレス、その機器が提供するサービス（表示データを表示できる、表示データを保持している等）などである。ここでは、連携機器情報保持部１５１は、データ取得部１１３が取得した第一表示装置情報及び第二表示装置情報を保持する。
【０１６６】
データ送信部１１５は、データ保持部１１４に保持されている操作情報を用いて、連携機器情報保持部１５１に保持されている第一表示装置情報及び第二表示装置情報で示される第一表示装置１３０及び第二表示装置１４０が表示させている表示データを変更するためのデータを、第一表示装置１３０及び第二表示装置１４０に送信する。
【０１６７】
次に、第一操作装置１５０を操作するユーザＡが、第一操作装置１５０が保持する表示データを第一表示装置１３０及び第二表示装置１４０に表示する際の処理の流れについて、説明する。
【０１６８】
まず、第一表示装置１３０に表示する場合は、図５に示す実施の形態１の場合と同様であるが、Ｓ１０６においてデータ送信部１１５が第一表示装置１３０に表示データと操作用ＵＩのＵＲＬを送付した際に、データ送信部１１５は、連携機器情報保持部１５１に送付先となる第一表示装置１３０を示す情報を記憶させる。
【０１６９】
次に、第二表示装置１４０に表示データを表示する場合についても、基本的に図５に示す実施の形態１の場合と同様であるが、Ｓ１０２において表示データを選択する操作は省略され、第一操作装置１５０は、第一表示装置１３０に表示した表示データを第二表示装置１４０にも表示する。
【０１７０】
この際、第一表示装置１３０に表示する際と同様、Ｓ１０６において、データ送信部１１５は、連携機器情報保持部１５１に、送付先となる第二表示装置１４０を示す情報を記憶させる。その結果、連携機器情報保持部１５１には、第一表示装置１３０を示す情報と第二表示装置１４０を示す情報とが記載されることとなる。
【０１７１】
そして、ユーザＡが、第一操作装置１５０の操作用ＵＩを用いて表示データを操作した場合に、連携機器情報保持部１５１に保持された情報で示される第一表示装置１３０と第二表示装置１４０の両方に命令が送られることで、２つの表示装置に表示された表示データが共に更新されることとなる。
【０１７２】
次に、第二操作装置１６０を操作するユーザＢが、第一表示装置１３０に表示された表示データを操作するための操作用ＵＩを取得する際の処理の流れについて、説明する。
【０１７３】
基本的な流れは、図６に示す実施の形態１の場合と同様であるが、Ｓ２０６において代理取得部１０２が操作用ＵＩを取得した後、連携機器情報代理取得部１３１は、代理取得部１０２から操作用ＵＩの取得先の機器である第一操作装置１５０を通知されると、通知された機器の連携機器情報保持部１５１から連携機器情報を取得する。
【０１７４】
先に述べた表示データを第一表示装置１３０及び第二表示装置１４０に表示する際の処理に従うと、ここで取得する第一操作装置１５０の連携機器情報には、第一表示装置１３０を示す情報と第二表示装置１４０を示す情報とが格納されている。
【０１７５】
次に、Ｓ２０８において、第一表示装置１３０が操作用ＵＩを第二操作装置１６０に送付した際に、代理取得部１０２から操作用ＵＩの送付先の機器を通知されると、第一表示装置１３０は、通知された第二操作装置１６０の連携機器情報保持部１６１にＳ２０６で取得した連携機器情報を保存する。
【０１７６】
この結果、Ｓ２１０までの処理が完了したあと、ユーザＢが第二操作装置１６０に表示された操作用ＵＩを介して表示データを操作した際には、第二操作装置１６０の表示部１２１は、連携機器情報保持部１６１に保持された情報で示される第一表示装置１３０及び第二表示装置１４０の両方に命令を送る。これにより、２つの表示装置に表示された表示データを共に更新させることが可能となり、第一操作装置１５０と同等の操作を実現することが可能となる。
【０１７７】
最後に、第一操作装置１５０を操作するユーザＡが、第一表示装置１３０及び第二表示装置１４０に表示されている表示データの表示を終了する際の処理の流れを、説明する。
【０１７８】
基本的に図７に示す通り、実施の形態１の場合と同様であるため、詳細は割愛するが、Ｓ３０２でユーザが表示終了を指示した際に、Ｓ３０４〜Ｓ３０６の処理を、連携している第一表示装置１３０と第二表示装置１４０に対して実施することで、送付した操作用ＵＩを、他の操作装置から消去することになる。
【０１７９】
次に、第一表示装置１３０と第二表示装置１４０と第一操作装置１５０と第二操作装置１６０とが行う一連の処理の流れについて、説明する。
【０１８０】
図１５は、本発明の実施の形態１における第一表示装置１３０と第二表示装置１４０と第一操作装置１５０と第二操作装置１６０とが行う処理を示すシーケンス図である。
【０１８１】
図１６は、本発明の実施の形態１における第一表示装置１３０と第二表示装置１４０と第一操作装置１５０と第二操作装置１６０とが行う処理を説明する図である。
【０１８２】
なお、図１６において、第一表示装置１３０は、車の助手席用に設置された表示装置を示しており、第二表示装置１４０は、車のリアシート用に設置された表示装置を示している。また、第一操作装置１５０は、車の助手席用に設置されたスマートフォンなどの操作装置を示しており、第二操作装置１６０は、車のリアシート用に設置されたスマートフォンなどの操作装置を示している。また、第一操作装置１５０は、ユーザＡによって操作され、第二操作装置１６０は、ユーザＢによって操作される。
【０１８３】
図１５及び図１６の（ａ）に示すように、まず、ユーザＡの操作により、第一操作装置１５０が、表示データと、データ保持部１１４に保持されている操作情報を識別する識別子である操作用ＵＩのＵＲＬとを、第一表示装置１３０に送信する（Ｓ６０２）とともに、当該表示データと操作用ＵＩのＵＲＬとを第二表示装置１４０にも送信する（Ｓ６０４）。そして、第一表示装置１３０と第二表示装置１４０とは、第一操作装置１５０によって送信された表示データと操作用ＵＩのＵＲＬとを受信する。
【０１８４】
次に、第一操作装置１５０の連携機器情報保持部１５１は、当該表示データと操作用ＵＩのＵＲＬとを送信した表示装置である第一表示装置１３０及び第二表示装置１４０を示す第一表示装置情報及び第二表示装置情報を、連携機器情報として保持する（Ｓ６０６）。
【０１８５】
そして、第一表示装置１３０は、表示部１０１に、受信した表示データを表示させるとともに、代理取得部１０２に、受信した操作用ＵＩのＵＲＬを保持させる（Ｓ６０８）。また、第二表示装置１４０は、表示部１４１に、受信した表示データを表示させるとともに、代理取得部１４２に、受信した操作用ＵＩのＵＲＬを保持させる（Ｓ６０８）。
【０１８６】
そして、第二操作装置１６０が、ユーザＢによる指示に基づいて、第二表示装置１４０に操作情報である操作用ＵＩの取得を要求する（Ｓ６１２）。なお、第二操作装置１６０は、第一表示装置１３０に操作用ＵＩの取得を要求することにしてもよい。
【０１８７】
そして、操作用ＵＩの取得を要求された第二表示装置１４０は、第一操作装置１５０に、第二表示装置１４０が第一操作装置１５０から受信した操作用ＵＩのＵＲＬを送信し、第一操作装置１５０は、当該操作用ＵＩのＵＲＬを取得する（Ｓ６１４）。
【０１８８】
そして、第一操作装置１５０は、第二表示装置１４０から取得した操作用ＵＩのＵＲＬを用いて、当該ＵＲＬで示される操作用ＵＩを取得し、当該操作用ＵＩと、連携機器情報とを送信する（Ｓ６１６）。
【０１８９】
そして、第二表示装置１４０は、第一操作装置１５０が送信した操作用ＵＩと連携機器情報とを受信し、連携機器情報代理取得部１４３に、連携機器情報を保持させる（Ｓ６１８）。
【０１９０】
そして、第二表示装置１４０は、第二操作装置１６０に当該操作用ＵＩと連携機器情報とを送信することで、第二操作装置１６０は、第一操作装置１５０が送信した操作用ＵＩと連携機器情報とを取得する（Ｓ６２０）。
【０１９１】
そして、第二操作装置１６０は、取得した操作用ＵＩをデータ保持部１２４に保持させ、取得した連携機器情報を連携機器情報保持部１６１に保持させる（Ｓ６２２）。
【０１９２】
そして、図１５及び図１６の（ｂ）に示すように、第二操作装置１６０は、データ保持部１２４に保持されている操作用ＵＩを用いて、第一表示装置１３０が表示させている表示データを変更するためのデータを、第一表示装置１３０に送信する（Ｓ６２４）とともに、第二表示装置１４０が表示させている表示データを変更するためのデータを、第二表示装置１４０に送信する（Ｓ６２６）。つまり、ユーザＢが、操作用ＵＩを介して、第二操作装置１６０に、第一表示装置１３０及び第二表示装置１４０への表示データ変更要求を行う。
【０１９３】
これにより、第一表示装置１３０は、表示させている表示データを変更し（Ｓ６２８）、第二表示装置１４０も同様に、表示させている表示データを変更する（Ｓ６３０）。
【０１９４】
以上のように、本発明の実施の形態２における第二操作装置１６０によれば、データ取得部１２３が操作情報を取得し、データ送信部１２５は、当該操作情報を用いて、連携機器情報保持部１６１に保持されている第一表示装置情報及び第二表示装置情報で示される第一表示装置１３０及び第二表示装置１４０が表示させている表示データを変更するためのデータを、第一表示装置１３０及び第二表示装置１４０に送信する。つまり、ユーザは、第二操作装置１６０が取得した操作情報を用いて、表示データを変更するためのデータを、第一表示装置１３０及び第二表示装置１４０の双方に送信することで、第一表示装置１３０及び第二表示装置１４０の双方が表示させている表示データを、一度の操作で変更させることができる。このように、ユーザが操作を行う操作装置に、複数の表示装置についての操作情報を取得させることができるため、ユーザが、表示データや操作情報を保持している装置を把握していなくとも、当該複数の表示装置が表示させている表示データを簡易に操作することができる。
【０１９５】
なお、本実施の形態において、ユーザが、第二操作装置１６０から第一表示装置１３０の表示データを操作する際には、第一操作装置１５０と同様に、第二表示装置１４０の表示データも操作するようにしたが、第二操作装置１６０の連携機器情報保持部１６１の内容に基づき、複数の表示装置が連携していることをユーザに通知し、ユーザが、複数の表示装置を同時に操作するか、ユーザが指定した表示装置のみを操作するかを選択できるようにしても良い。
【０１９６】
また、本実施の形態において、連携機器情報保持部が保持する機器の情報として、表示データを表示する表示装置を示す情報のみを保持するようにした。しかし、複数の操作装置が持つデータ保持部にまたがって保存されている表示データをまとめて同時に、若しくは、切り替えて表示装置に表示する場合には、連携機器情報保持部に、表示データを保持する操作装置の情報も保持させることで、表示データを保持する複数の操作装置との連携状態を引き継ぎ、第一操作装置１５０、第二操作装置１６０の両方から同様に操作できるようにしても良い。
【０１９７】
また、連携機器情報保持部に、操作用ＵＩを表示している操作装置の情報も追加することで、操作装置間の連携を行い、カーソル位置やボタンの選択状態など、複数の操作装置に表示されている操作用ＵＩの状態を同期するようにしてもよい。
【０１９８】
また、従来の機器連携制御システムと同様の被操作装置が存在する場合には、被操作装置の情報を連携機器情報保持部に保持させるようにしても良い。
【０１９９】
また、表示データが動画の場合に、表示装置とは異なる音声出力用の機器から音声を出力させるような場合は、連携機器情報保持部に音声出力機器の情報も保持させることで、音声出力機器への操作も行えるようにしても良い。また、操作用ＵＩから表示データの操作だけでなく、エアコンや照明などの他の機器への操作も行える場合は、これら他の機器の情報も連携機器情報保持部に保持することで、その他の機器との連携操作も引き継げるようにしてもよい。
【０２００】
また、本実施の形態において、第二操作装置１６０が、第一表示装置１３０表示させている表示データを変更するためのデータを第一表示装置１３０に送信するとともに、第二表示装置１４０が表示させている表示データを変更するためのデータを第二表示装置１４０に送信することとした。しかし、第二操作装置１６０が、第二表示装置１４０が表示させている表示データを変更するためのデータを第二表示装置１４０に送信した後に、第二表示装置１４０が、第一表示装置１３０が表示させている表示データを変更するためのデータを第一表示装置１３０に送信することにしてもよい。つまり、ユーザＢが、操作用ＵＩを介して、第二操作装置１６０に第二表示装置１４０への表示データ変更要求を行うことで、第一表示装置１３０と第二表示装置１４０の双方が、表示させている表示データを変更する。なお、第二表示装置１４０は、保持している連携機器情報を用いることで、当該連携機器情報に含まれる表示装置である第一表示装置１３０に当該データを送信することができる。
【０２０１】
なお、上記実施の形態は一例であって、本発明は、上記実施の形態に限定されるのではない。上記実施の形態に対して当業者が思いつく変形を施して得られる形態、および、上記実施の形態における構成要素を任意に組み合わせて実現される別の形態も、本発明に含まれる。
【０２０２】
なお、上記各実施の形態において、各構成要素は、専用のハードウェアで構成されてもよいし、各構成要素に適したソフトウェアプログラムを実行することによって実現されてもよい。例えば、各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０２０３】
つまり、図２、図１３Ａまたは図１３Ｂに示した表示装置の各構成要素は、ソフトウェアによって実現されてもよい。そして、上記各実施の形態の表示装置を実現するソフトウェアは、次のような表示方法に含まれるステップをコンピュータに実行させるプログラムである。すなわち、この表示方法は、画面に表示される表示データを操作する第一操作装置及び第二操作装置と通信ネットワークを介して接続された表示装置が、前記第一操作装置の要求に従い画面に前記表示データを表示させる表示方法であって、前記第一操作装置によって送信された前記表示データを受信し、前記画面に表示させる表示ステップと、前記表示ステップで表示させる前記表示データを操作するための情報である操作情報を識別する識別子を前記第一操作装置から取得し、前記第二操作装置から前記操作情報の取得を要求された場合に、前記識別子で示される操作情報を前記第二操作装置に取得させる代理取得ステップとを含む。
【０２０４】
また、図３Ａ、図３Ｂ、図１０Ａ、図１０Ｂ、図１４Ａまたは図１４Ｂに示した操作装置のデータ保持部を除く各構成要素は、ソフトウェアによって実現されてもよい。そして、上記各実施の形態の操作装置を実現するソフトウェアは、次のような操作方法に含まれるステップをコンピュータに実行させるプログラムである。すなわち、この操作方法は、画面に表示データを表示させる表示装置と通信ネットワークを介して接続された操作装置が、前記表示装置によって表示された表示データを操作する操作方法であって、前記表示データを前記表示装置に取得させるとともに、前記表示データを操作するための情報である操作情報を識別する識別子を保持しているデータ保持部に保持されている前記識別子を前記表示装置に送信する第一データ送信ステップと、前記表示データを操作する他の操作装置からの前記表示装置への操作情報の取得要求に基づいて、前記表示装置が受信した前記識別子を取得するデータ取得ステップと、前記データ取得部が当該識別子を取得した場合に、当該識別子で示される操作情報を送信し、前記他の操作装置に前記操作情報を取得させる第二データ送信ステップとを含む。
【０２０５】
また、図２、図１３Ａまたは図１３Ｂに示した表示装置や図３Ａ、図３Ｂ、図１０Ａ、図１０Ｂ、図１４Ａまたは図１４Ｂに示した操作装置の各機能ブロックは、集積回路であるＬＳＩとして実現されてもよい。これらは個別に１チップ化されても良いし、一部又は全てを含むように１チップ化されても良い。
【０２０６】
例えば、図１０Ａに示したように、第一操作装置１１０ａのデータ保持部１１４を含まない部分を集積回路１１０ｂとして実現し、図１０Ｂに示したように、第二操作装置１２０ａのデータ保持部１２４を含まない部分を集積回路１２０ｂとして実現してもよい。
【０２０７】
ここでは、ＬＳＩとしたが、集積度の違いにより、ＩＣ、システムＬＳＩ、スーパーＬＳＩ、ウルトラＬＳＩと呼称されることもある。
【０２０８】
また、集積回路化の手法はＬＳＩに限るものではなく、専用回路又は汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用しても良い。
【０２０９】
さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてあり得る。
【０２１０】
また、ユーザインタラクション装置の構成要素のうち、データを格納する部だけ１チップ化せずに別構成としてもよい。
【０２１１】
また、本発明は、表示装置、操作装置、または機器連携制御システムとして実現することができるだけでなく、表示装置、操作装置、または機器連携制御システムに含まれる特徴的な処理をステップとする表示方法、操作方法または機器連携制御方法として実現することもできる。そして、本発明は、それらの方法に含まれるステップをコンピュータに実行させるプログラムとして実現することもできる。さらに、本発明は、そのプログラムを記憶したＣＤ−ＲＯＭ等のコンピュータ読み取り可能な記憶媒体、及びインターネット等の伝送媒体を介して流通させることができるのは言うまでもない。
【産業上の利用可能性】
【０２１２】
本発明にかかる表示装置、操作装置または機器連携制御システムは、複数の機器を連携させ、他の機器に動画や写真、文章、Ｗｅｂページなどのコンテンツを表示し、それを操作するための装置またはシステムとして有用である。また、表示データを音楽データ等の他のデータにすることで、他の機器に音楽を再生させる機器連携制御システム等の用途にも応用できる。
【符号の説明】
【０２１３】
１０、１１  機器連携制御システム
１００  表示装置
１０１、１４１  表示部
１０２、１４２  代理取得部
１１０、１１０ａ、１５０  第一操作装置
１１０ｂ、１２０ｂ  集積回路
１１１、１２１  表示部
１１２、１２２  操作入力部
１１３、１２３  データ取得部
１１４、１２４  データ保持部
１１５、１２５  データ送信部
１２０、１２０ａ、１６０  第二操作装置
１３０  第一表示装置
１３１、１４３  連携機器情報代理取得部
１４０  第二表示装置
１５１、１６１  連携機器情報保持部
１０００  表示装置
１００１  表示部
１１００  被操作装置
１１０１  データ保持部
１１０２  データ送信部
１２００  操作装置
１２０１  表示部
１２０２  操作入力部
１２０３  データ取得部
【図１】
2012157185.tif 000003
【図２】
2012157185.tif 000004
【図３Ａ】
2012157185.tif 000005
【図３Ｂ】
2012157185.tif 000006
【図４】
2012157185.tif 000007
【図５】
2012157185.tif 000008
【図６】
2012157185.tif 000009
【図７】
2012157185.tif 000010
【図８】
2012157185.tif 000011
【図９】
2012157185.tif 000012
【図１０Ａ】
2012157185.tif 000013
【図１０Ｂ】
2012157185.tif 000014
【図１１】
2012157185.tif 000015
【図１２】
2012157185.tif 000016
【図１３Ａ】
2012157185.tif 000017
【図１３Ｂ】
2012157185.tif 000018
【図１４Ａ】
2012157185.tif 000019
【図１４Ｂ】
2012157185.tif 000020
【図１５】
2012157185.tif 000021
【図１６】
2012157185.tif 000022
【図１７】
2012157185.tif 000023
【図１８】
2012157185.tif 000024
【図１９】
2012157185.tif 000025
【図２０】
2012157185.tif 000026
【手続補正書】
【提出日】平成24年9月14日(2012.9.14)
【手続補正１】
【補正対象書類名】特許請求の範囲
【補正対象項目名】全文
【補正方法】変更
【補正の内容】
【特許請求の範囲】
【請求項１】
画面に表示される表示データを操作する第一操作装置及び第二操作装置と通信ネットワークを介して接続され、前記第一操作装置の要求に従い画面に前記表示データを表示させる表示装置であって、
前記第一操作装置によって送信された前記表示データを受信し、前記画面に表示させる表示部と、
前記表示部が表示させる前記表示データを操作するための情報である操作情報を識別する識別子を前記第一操作装置から取得し、前記第二操作装置から前記操作情報の取得を要求された場合に、前記識別子で示される操作情報を前記第二操作装置に取得させる代理取得部と
を備える表示装置。
【請求項２】
前記代理取得部は、
前記識別子として、前記第一操作装置に保持されている前記操作情報の保存場所に関する情報である保存場所情報を取得し、
前記第二操作装置から前記操作情報の取得を要求された場合に、前記保存場所情報で示される前記操作情報の保存場所から前記操作情報を取得し、
取得した前記操作情報を前記第二操作装置に送信することで、前記操作情報を前記第二操作装置に取得させる
請求項１に記載の表示装置。
【請求項３】
前記代理取得部は、
前記識別子として、前記第一操作装置に保持されている前記操作情報の保存場所に関する情報である保存場所情報を取得し、
前記第二操作装置から前記操作情報の取得を要求された場合に、前記保存場所情報を前記第二操作装置に送信することで、前記第二操作装置に前記操作情報を取得させる
請求項１に記載の表示装置。
【請求項４】
前記代理取得部は、前記第一操作装置から前記表示データの表示の終了要求を受信した場合、前記第二操作装置に対し前記第二操作装置が取得した前記操作情報を消去させる
請求項１〜３のいずれか１項に記載の表示装置。
【請求項５】
画面に表示データを表示させる表示装置と通信ネットワークを介して接続され、前記表示装置によって表示された表示データを操作する操作装置であって、
前記表示データを操作するための情報である操作情報を識別する識別子を保持しているデータ保持部と、
前記表示データを前記表示装置に取得させるとともに、前記データ保持部に保持されている前記識別子を前記表示装置に送信するデータ送信部と、
前記表示データを操作する他の操作装置からの前記表示装置への操作情報の取得要求に基づいて、前記表示装置が受信した前記識別子を取得するデータ取得部とを備え、
前記データ送信部は、前記データ取得部が当該識別子を取得した場合に、当該識別子で示される操作情報を送信し、前記他の操作装置に前記操作情報を取得させる
操作装置。
【請求項６】
前記データ保持部は、前記識別子として前記操作情報の保存場所に関する情報である保存場所情報を、前記表示データと前記操作情報とに対応付けて保持しており、
前記データ送信部は、前記データ保持部に保持されている前記表示データと前記保存場所情報とを前記表示装置に送信し、
前記データ取得部は、前記取得要求に基づいて、前記表示装置が受信した前記保存場所情報を前記表示装置から取得し、
前記データ送信部は、前記データ取得部が前記表示装置から前記保存場所情報を取得した場合に、前記データ保持部に保持されている前記保存場所情報に対応付けられた操作情報を前記表示装置に送信することで、前記表示装置を介して前記操作情報を前記他の操作装置に取得させる
請求項５に記載の操作装置。
【請求項７】
前記データ保持部は、前記識別子として前記操作情報の保存場所に関する情報である保存場所情報を、前記表示データと前記操作情報とに対応付けて保持しており、
前記データ送信部は、前記データ保持部に保持されている前記表示データと前記保存場所情報とを前記表示装置に送信し、
前記データ取得部は、前記取得要求に基づいて、前記表示装置が受信して前記他の操作装置に送信した前記保存場所情報を前記他の操作装置から取得し、
前記データ送信部は、前記データ取得部が前記他の操作装置から前記保存場所情報を取得した場合に、前記データ保持部に保持されている前記保存場所情報に対応付けられた操作情報を前記他の操作装置に送信することで、前記操作情報を前記他の操作装置に取得させる
請求項５に記載の操作装置。
【請求項８】
前記データ取得部は、さらに、前記表示装置によって表示された前記表示データの表示の終了要求を取得し、
前記データ送信部は、前記データ取得部が前記終了要求を取得した場合、前記表示装置に前記表示データの表示の終了要求を送信するとともに、前記他の操作装置が取得した前記操作情報を前記他の操作装置に消去させる
請求項５〜７のいずれか１項に記載の操作装置。
【請求項９】
前記データ送信部は、前記データ取得部が前記終了要求を取得した場合、さらに、前記表示装置が保持している前記識別子を前記表示装置に消去させる
請求項８に記載の操作装置。
【請求項１０】
前記データ保持部は、前記識別子として、所定の操作が許可されない操作情報を識別する識別子を保持しており、
前記データ送信部は、前記識別子で示される前記所定の操作が許可されない操作情報を、前記他の操作装置に取得させる
請求項５〜９のいずれか１項に記載の操作装置。
【請求項１１】
前記データ取得部は、さらに、他の操作装置が表示データを表示させた第一表示装置または第二表示装置への前記表示データを操作するための情報である操作情報の取得要求に基づいて前記操作情報を取得するとともに、当該表示データを表示させた他の操作装置から、前記第一表示装置または前記第二表示装置を介して、前記第一表示装置を示す第一表示装置情報と前記第二表示装置を示す第二表示装置情報とを取得し、
前記データ保持部は、さらに、取得された前記操作情報を保持し、
前記操作装置は、さらに、
取得された前記第一表示装置情報及び前記第二表示装置情報を保持するための連携機器情報保持部を備え、
前記データ送信部は、さらに、前記データ保持部に保持されている前記操作情報を用いて、前記連携機器情報保持部に保持されている前記第一表示装置情報及び前記第二表示装置情報で示される第一表示装置及び第二表示装置が表示させている表示データを変更するためのデータを、前記第一表示装置及び前記第二表示装置に送信する
請求項５に記載の操作装置。
【請求項１２】
通信ネットワークを介して接続される、画面に表示される表示データを操作する第一操作装置及び第二操作装置と、前記第一操作装置の要求に従い画面に前記表示データを表示させる表示装置とを備える機器連携制御システムであって、
前記第一操作装置は、
前記表示データを操作するための情報である操作情報を識別する識別子を保持しているデータ保持部と、
前記表示データを前記表示装置に取得させるとともに、前記データ保持部に保持されている前記識別子を前記表示装置に送信するデータ送信部と、
前記第二操作装置からの前記表示装置への操作情報の取得要求に基づいて、前記表示装置が受信した前記識別子を取得するデータ取得部とを備え、
前記データ送信部は、前記データ取得部が当該識別子を取得した場合に、当該識別子で示される操作情報を送信し、前記第二操作装置に前記操作情報を取得させ、
前記表示装置は、
前記第一操作装置によって送信された前記表示データを受信し、前記画面に表示させる表示部と、
前記表示部が表示させる前記表示データを操作するための情報である操作情報を識別する前記識別子を前記第一操作装置から取得し、前記第二操作装置から前記操作情報の取得を要求された場合に、前記識別子で示される操作情報を前記第二操作装置に取得させる代理取得部とを備え、
前記第二操作装置は、
前記表示装置への前記操作情報の取得要求に基づいて前記操作情報を取得するデータ取得部と、
取得された前記操作情報を保持するためのデータ保持部と、
前記データ保持部に保持されている前記操作情報を用いて、前記表示装置が表示させている表示データを変更するためのデータを、前記表示装置に送信するデータ送信部とを備える
機器連携制御システム。
【請求項１３】
画面に表示される表示データを操作する第一操作装置及び第二操作装置と通信ネットワークを介して接続された表示装置が、前記第一操作装置の要求に従い画面に前記表示データを表示させる表示方法であって、
前記第一操作装置によって送信された前記表示データを受信し、前記画面に表示させる表示ステップと、
前記表示ステップで表示させる前記表示データを操作するための情報である操作情報を識別する識別子を前記第一操作装置から取得し、前記第二操作装置から前記操作情報の取得を要求された場合に、前記識別子で示される操作情報を前記第二操作装置に取得させる代理取得ステップと
を含む表示方法。
【請求項１４】
画面に表示データを表示させる表示装置と通信ネットワークを介して接続された操作装置が、前記表示装置によって表示された表示データを操作する操作方法であって、
前記表示データを前記表示装置に取得させるとともに、前記表示データを操作するための情報である操作情報を識別する識別子を保持しているデータ保持部に保持されている前記識別子を前記表示装置に送信する第一データ送信ステップと、
前記表示データを操作する他の操作装置からの前記表示装置への操作情報の取得要求に基づいて、前記表示装置が受信した前記識別子を取得するデータ取得ステップと、
前記データ取得ステップで当該識別子を取得した場合に、当該識別子で示される操作情報を送信し、前記他の操作装置に前記操作情報を取得させる第二データ送信ステップと
を含む操作方法。
【請求項１５】
通信ネットワークを介して接続される、画面に表示される表示データを操作する第一操作装置及び第二操作装置と、前記第一操作装置の要求に従い画面に前記表示データを表示させる表示装置とが行う機器連携制御方法であって、
前記第一操作装置が、前記表示データを前記表示装置へ送信させるとともに、データ保持部に保持されている前記表示データを操作するための情報である操作情報を識別する識別子を、前記表示装置に送信する第一ステップと、
前記表示装置が、前記第一操作装置によって送信された前記表示データを受信するとともに、前記第一操作装置が送信した前記識別子を受信する第二ステップと、
前記表示装置が、受信した前記表示データを前記画面に表示させる第三ステップと、
前記第二操作装置が、前記表示装置に前記操作情報の取得を要求する第四ステップと、
前記第一操作装置が、前記要求に基づいて、前記表示装置が受信した前記識別子を取得する第五ステップと、
前記第一操作装置が、取得した前記識別子で示される操作情報を送信する第六ステップと、
前記第二操作装置が、前記第一操作装置が送信した前記操作情報を取得する第七ステップと、
前記第二操作装置が、取得した前記操作情報をデータ保持部に保持する第八ステップと、
前記第二操作装置が、前記データ保持部に保持されている前記操作情報を用いて、前記表示装置が表示させている表示データを変更するためのデータを、前記表示装置に送信する第九ステップと
を含む機器連携制御方法。
【請求項１６】
画面に表示される表示データを操作する第一操作装置及び第二操作装置と通信ネットワークを介して接続された表示装置が、前記第一操作装置の要求に従い画面に前記表示データを表示させるためのプログラムであって、
前記第一操作装置によって送信された前記表示データを受信し、前記画面に表示させる表示ステップと、
前記表示ステップで表示させる前記表示データを操作するための情報である操作情報を識別する識別子を前記第一操作装置から取得し、前記第二操作装置から前記操作情報の取得を要求された場合に、前記識別子で示される操作情報を前記第二操作装置に取得させる代理取得ステップと
をコンピュータに実行させるプログラム。
【請求項１７】
画面に表示データを表示させる表示装置と通信ネットワークを介して接続された操作装置が、前記表示装置によって表示された表示データを操作するためのプログラムであって、
前記表示データを前記表示装置に取得させるとともに、前記表示データを操作するための情報である操作情報を識別する識別子を保持しているデータ保持部に保持されている前記識別子を前記表示装置に送信する第一データ送信ステップと、
前記表示データを操作する他の操作装置からの前記表示装置への操作情報の取得要求に基づいて、前記表示装置が受信した前記識別子を取得するデータ取得ステップと、
前記データ取得部が当該識別子を取得した場合に、当該識別子で示される操作情報を送信し、前記他の操作装置に前記操作情報を取得させる第二データ送信ステップと
をコンピュータに実行させるプログラム。
【請求項１８】
画面に表示される表示データを操作する第一操作装置及び第二操作装置と通信ネットワークを介して接続され、前記第一操作装置の要求に従い画面に前記表示データを表示させる集積回路であって、
前記第一操作装置によって送信された前記表示データを受信し、前記画面に表示させる表示部と、
前記表示部が表示させる前記表示データを操作するための情報である操作情報を識別する識別子を前記第一操作装置から取得し、前記第二操作装置から前記操作情報の取得を要求された場合に、前記識別子で示される操作情報を前記第二操作装置に取得させる代理取得部と
を備える集積回路。
【請求項１９】
画面に表示データを表示させる表示装置と通信ネットワークを介して接続され、前記表示装置によって表示された表示データを操作する集積回路であって、
前記表示データを前記表示装置に取得させるとともに、前記表示データを操作するための情報である操作情報を識別する識別子を保持しているデータ保持部に保持されている前記識別子を前記表示装置に送信するデータ送信部と、
前記表示データを操作する操作装置からの前記表示装置への操作情報の取得要求に基づいて、前記表示装置が受信した前記識別子を取得するデータ取得部とを備え、
前記データ送信部は、前記データ取得部が当該識別子を取得した場合に、当該識別子で示される操作情報を送信し、前記操作装置に前記操作情報を取得させる
集積回路。
【国際調査報告】
2012157185.tif 000027
2012157185.tif 000028
2012157185.tif 000029
2012157185.tif 000030
2012157185.tif 000031
2012157185.tif 000032
2012157185.tif 000033